(57)【特許請求の範囲】
【請求項１】
ハブ軸と、
前記ハブ軸に回転可能に支持される駆動体と、
前記ハブ軸に回転可能に支持されるハブシェルと、
前記駆動体と前記ハブシェルとの間に機能的に配置されて、回転力を前記駆動体から前記ハブシェルへと複数の動力伝達経路を介して伝達する動力伝達機構と、
シフト制御部材および位置決め部材を有するシフト制御機構と、
を備え、
前記シフト制御部材は、前記ハブ軸の回りに相対回転可能で、前記複数の動力伝達経路のそれぞれに対応する複数の周方向位置の間で移動して前記複数の動力伝達経路を切換可能であり、
前記位置決め部材は前記ハブ軸に対して回転不能であり、かつ、前記シフト制御部材を強制的に前記複数の周方向位置のうちの選択されたいずれか１つに留めるよう構成されている、
内装変速ハブ。
【請求項２】
請求項１に記載の内装変速ハブであって、前記シフト制御部材は、軸方向に延びる端部に凸部を有するベーススリーブと、少なくとも１つの爪制御アームと、を備えており、
前記位置決め部材は、軸方向に延びる複数のギア歯を有する外側環状部を有するリング形状を有しており、前記ギア歯は前記ベーススリーブの前記凸部と当接するよう配列されている。
【請求項３】
請求項２に記載の内装変速ハブであって、前記シフト制御機構は、前記位置決め部材の前記ギア歯を、軸方向に前記シフト制御部材の前記ベーススリーブの凸部に向かって付勢するよう配置されるスプリングを有している。
【請求項４】
請求項３に記載の内装変速ハブであって、前記シフト制御部材の凸部は逆Ｖ字状の傾斜平面を有しており、前記位置決め部材のギア歯は相補形状の平面を有しており、前記凸部と前記ギア歯との間の当接によって前記シフト制御部材の位置決めが行われる。
【請求項５】
請求項１に記載の内装変速ハブであって、
前記シフト制御部材は、前記ハブ軸回りに回転可能に配置されるとともに中央ハブ軸収容空間を有するディスク状部を有し、前記ディスク状部に少なくとも１つのギア歯状凸部を有しているシフトキーガイドを備えており、
前記位置決め部材は、軸方向に延びている複数のギア歯を有する外側環状部を有するリング形状を有しており、前記ギア歯は前記シフトキーガイドの凸部と当接するよう配列されている。
【請求項６】
請求項５に記載の内装変速ハブであって、前記シフトキーガイドは、前記ディスク状部に、前記シフトキーガイドの前記凸部と当接するよう配列されている複数のギア歯状凸部を有している。
【請求項７】
請求項５に記載の内装変速ハブであって、前記シフト制御機構は、前記位置決め部材のギア歯を軸方向に前記シフトキーガイドの凸部に向かって付勢するよう配置されるスプリングを有している。
【請求項８】
請求項５に記載の内装変速ハブであって、前記シフトキーガイドの凸部は逆Ｖ字状の傾斜平面を有しており、前記位置決め部材のギア歯は相補形状の平面を有しており、前記シフトキーガイドの凸部と前記ギア歯との間の当接によって、前記シフト制御部材の位置決めが行われる。
【請求項９】
請求項１に記載の内装変速ハブであって、前記シフト制御部材に機能的に連結され、前記シフト制御部材を前記ハブ軸回りに時計方向および反時計方向に選択的に回転させるシフト作動部をさらに備える。
【請求項１０】
請求項９に記載の内装変速ハブであって、
前記シフト作動部が、
アウタケーブル連結部を有する前記ハブ軸に回転不能に固定される固定プレートと、
前記ハブ軸に対して相対回転可能に配置されるとともに、前記シフト制御部材に機能的に連結されて前記シフト制御部材とともに時計方向および反時計方向に回転する第１回転可能部材と、
前記ハブ軸回りに時計方向および反時計方向に回転可能であるとともに、前記第１回転可能部材に対して相対的回転が制限された状態で機能的に前記第１回転可能部材に接続されている第２回転可能部材と、
を備えている。
【請求項１１】
請求項１０に記載の内装変速ハブであって、前記第２回転可能部材は、シフトコントロールケーブルによって少なくとも一方向に回転される。
【請求項１２】
請求項１０に記載の内装変速ハブであって、前記第２回転可能部材は、付勢スプリングによって少なくとも一方向に回転される。
【請求項１３】
請求項１０に記載の内装変速ハブであって、前記第２回転可能部材は、ケーブルによって第１方向に回転され、スプリングによって第２方向に回転される。
【発明の詳細な説明】
【技術分野】
【０００１】
本発明は、内装変速ハブ、特に、内部位置決め部材を有する内装変速ハブアセンブリに関する。
【背景技術】
【０００２】
自転車に乗ることは、移動の手段であるとともに、レクレーションの形態としてもますます人気が高まっている。また、自転車に乗ることは、プロ、アマを問わず、競技スポーツとしても人気が高い。レクレーション、移動、競技の用途に関わらず、自転車産業において、種々の自転車部品は常に改良が続けられている。大きく設計が見直されている自転車部品の一つに自転車用内装変速ハブが挙げられる（たとえば特許文献１）。
【０００３】
内装変速ハブは、一般的には、サイクリストに複数の動力伝達経路（ギア比）を提供するようシフト可能な内装ギア機構を有するリアホイールハブである。
【０００４】
このような内装変速ハブでは、サイクリストは、自転車のハンドルバー上にあるいは近傍に組み付けられた従来のレバー作動シフト機構を操作することによって、ペダリング速度を変更する。レバー作動シフト機構の移動は、内装変速ハブ内のシフト機構に機能的に接続されているボーデンタイプケーブルによって、内装変速ハブに伝達される。レバー作動シフト機構のポジションの変化により、動力伝達経路（ギア比）の選択が、それに応じて変化する。
【特許文献１】特開２００７−２９８１６６号公報
【発明の開示】
【発明が解決しようとする課題】
【０００５】
このような内装変速ハブおよび従来のレバー作動シフト機構に関する問題は、内装変速ハブ内の構成部材の位置決めが、ただ単に、レバー作動シフト機構およびケーブルの位置決めによって達成されるということにある。もし、レバー作動シフト機構が、的確に所定の位置にセットされていない場合、内装変速ハブ内の構成部材が適正に整列されないことがある。このように内装変速ハブ内の構成部材が適正に整列されていない場合は、所望の動力伝達経路を選択するために、レバー作動シフト機構の移動を注意深く行う必要がある。
【０００６】
以上の点から、所望の動力伝達経路を選択する際に内装変速ハブの正しく完全な変速動作を確立する、より安定した手段を有する、改良内装変速ハブのニーズがあることが、本開示から、当業者には明らかであろう。本発明は、このニーズと同様に、本開示から、当業者に対して、明らかにされる他のニーズに対してもなされたものである。
【０００７】
本発明の目的の１つは、選択された動力伝達経路を形成するすべての構成部材を、確実に正しい位置に配置する内部位置決め機構を有する内装変速ハブを提供することにある。
【０００８】
本発明の他の目的は、動力伝達経路間での変速動作が信頼性高く正確である内装変速ハブを提供することにある。
【課題を解決するための手段】
【０００９】
本発明に係る内装変速ハブは、ハブ軸と、駆動体と、ハブシェルと、動力伝達機構と、シフト制御機構と、を備えている。駆動体はハブ軸に回転可能に支持される。ハブシェルはハブ軸に回転可能に支持される。動力伝達機構は、駆動体とハブシェルとの間に機能的に配置されて、回転力を駆動体からハブシェルへと複数の動力伝達経路を介して伝達する。シフト制御機構は、シフト制御部材と、位置決め部材と、を有する。シフト制御部材は、ハブ軸の回りに相対回転可能で、複数の動力伝達経路のそれぞれに対応する複数の周方向位置の間で移動して複数の動力伝達経路を切換可能である。位置決め部材は、ハブ軸に対して回転不能であり、かつ、シフト制御部材を強制的に複数の周方向位置のうちの選択されたいずれか１つに留めるよう構成されている。
【発明の効果】
【００１０】
以上のような本発明によれば、選択された動力伝達経路を形成するすべての構成部材を、確実に正しい位置に配置することができる。
【発明を実施するための最良の形態】
【００１１】
本発明の選択的な実施形態を、図面を用いて説明する。以下の本発明にかかる実施形態の説明は単なる例示であって、添付の特許請求の範囲およびそれらの均等物によって定義される本発明を限定するものではない。
【００１２】
−第１実施形態−
まず、図１を参照して、本発明の第１実施形態にかかるハブ１２を備える自転車１０を示す。
【００１３】
図２に示すように、ハブ１２は、爪制御部材１８（図３〜図５、図７および図８参照）およびクラッチリング２０の移動を制御するシフト機構１６（シフト制御機構）を有する動力伝達アッセンブリ１４を備える。図５９〜図６６に示すとともに以下により詳細に説明する複数の動力伝達経路に沿ってトルクを伝達する動力伝達アッセンブリ１４の種々のエレメントを構成するために、爪制御部材１８およびクラッチリング２０は、所定の位置に選択的に移動可能である。さらに、本発明のシフト機構１６は、爪制御部材１８を、サイクリストによって選択可能な動力伝達経路に対応する別々の位置へ、正確に配置するよう構成されるインデックスリングすなわち位置決め部材２２を備える。
【００１４】
図２に示すように、ハブ１２は、基本的に、ハブ軸２４と、駆動体２５と、ハブシェル２６と、動力伝達アッセンブリ１４と、シフト機構１６と、を備える。
【００１５】
次に、図３、図４、図６および図４６を特に参照して、ハブ軸２４を、簡単に説明する。ハブ軸２４は、基本的に、従来と同様に自転車１０のリアフレームに回転不能に装着される長いシャフトである。ハブ軸２４は、シフト制御サポート部２７と、変速サポート部２８と、を備える。
【００１６】
ハブ軸２４のシフト制御サポート部２７は、概ね均一な直径を有し、そして、シフト制御サポート部２７の一部に形成された、１組の軸方向に延びる溝３０（図３および図４において一方の溝３０のみが見えている）を有する。また、シフト制御サポート部２７は、図４５から明らかなように、３つの凸部３２，３４，３６を有する。図３および図４では、凸部３２，３４のみが見えている。さらに、シフト制御サポート部２７は環状凹部３８を有する。
【００１７】
図２に示すとともに、図３および図６から明らかなように、ハブ軸２４の変速サポート部２８は、動力伝達アッセンブリ１４の種々の部分を受けて保持するように構成されている。ハブ軸２４の変速サポート部２８は、基本的に、シフト制御サポート部２７の外径より大きい最大径を有するローブすなわち凸状部を備える。変速サポート部２８は、互いに交わる、一連の、周方向に延びる凹部と、軸方向に延びる溝と、をさらに有している。具体的には、図３および図６に示すように、変速サポート部２８は、以下の周方向に延びる凹部を有する。すなわち、変速サポート部２８は、スプリング保持凹部４０と、第１爪制御アーム収容凹部４２と、第２爪制御アーム収容凹部４４と、スプリング収容凹部４６，４８と、第３爪制御アーム収容凹部５０と、スプリング収容凹部５２と、を有する。さらに、変速サポート部２８は、以下の軸方向に延びる溝を有する。すなわち、第１ロック溝６０と、第２ロック溝６２と、第１、第２および第３部分６４ａ，６４ｂ，６４ｃを有する爪収容溝６４と、図４６に示されるコントロールアーム収容溝６８と、を有する。変速サポート部２８のこれらの溝および凹部は、後述する動力伝達アッセンブリ１４のエレメントを収容する。
【００１８】
図２から明らかなように、駆動体２５は、従来と同様に従来のベアリングＢ１によって、ハブ軸２４回りに回転可能に支持されており、ハブシェル２６は、従来と同様に従来のベアリングＢ２，Ｂ３によって、ハブ軸２４および駆動体２５に回転可能に支持される。駆動体２５は、動力伝達アッセンブリ１４によって、ハブシェル２６に選択的に連結可能であり、これにより、駆動体２５に伝達されたトルクが、後述する複数の選択される動力伝達経路のうちのいずれか１つで、ハブシェル２６に伝達される。駆動体２５については後述する。
【００１９】
ハブシェル２６は、第１トルク変速ギア歯２６ａ（図２の右側）と、第２トルク変速ギア歯２６ｂ（図２の左側）と、を備える。その機能を、以下に、より詳細に説明する。
【００２０】
動力伝達アッセンブリ１４は、多段内装ハブ変速である。動力伝達アッセンブリ１４は、基本的に、（とりわけ）爪制御部材１８と、クラッチリング２０と、駆動体２５と、リング状シフトキー部材７０と、第１太陽ギア７２と、第２太陽ギア７４と、第３太陽ギア７６と、第４太陽ギア７８と、第２太陽ギア爪８０と、第３太陽ギア爪８２と、第４太陽ギア爪８４と、遊星ギアキャリヤ８６と、第１セットの遊星ギア８８と、第２セットの遊星ギア９０と、爪９２と、第１リングギア９４と、第２リングギア９６と、爪９８と、シフト機構１６と、を備える。動力伝達機構１４は、駆動体２５とハブシェル２６との間に機能的に配置されて、回転力を駆動体２５からハブシェル２６へと、後述する複数の異なるトルク動力伝達経路を介して伝える。
【００２１】
次に、特に図２、図３および図４を参照して、爪制御部材１８を説明する。爪制御部材１８は、ベーススリーブ１００と、第１制御スリーブ１０２と、第２制御スリーブ１０４と、第３制御スリーブ１０６と、ベーススリーブ１００の遠端部１０８と、を基本的に有するシフト制御部材である。ベーススリーブ１００は、ハブ軸２４の変速サポート部２８のほぼ全長さにわたって延びる直線状の部分である。図５に示すように、ハブ１２が完全に組み立てられた状態では、ベーススリーブ１００は、ハブ軸２４の変速サポート部２８の制御アーム収容溝６８内に配置されており、第１制御スリーブ１０２は第１爪制御アーム収容凹部４２内に配置され、第２制御スリーブ１０４は第２爪制御アーム収容凹部４４内に配置され、第３制御スリーブ１０６は第３爪制御アーム収容凹部５０内に配置されている。
【００２２】
シフトプロセスにおいて、第１制御スリーブ１０２、第１爪制御アーム収容凹部４２、第２制御スリーブ１０４、第２爪制御アーム収容凹部４４、第３制御スリーブ１０６および第３爪制御アーム収容凹部５０は、支持面として機能する。より具体的には、第１制御スリーブ１０２は第１爪制御アーム収容凹部４２内で周方向にスライド可能であり、第２制御スリーブ１０４は第２爪制御アーム収容凹部４４内で周方向にスライド可能であり、第３制御スリーブ１０６は第３爪制御アーム収容凹部５０内で周方向にスライド可能である。さらに、爪制御部材１８がハブ軸２４回りに周方向に移動されるとき、図４７および図４８に示すように、その周方向移動が、制御アーム収容溝６８の周方向側部のいずれかの面と当接するベーススリーブ１００によって制限されている。図４７において、爪制御部材１８は、一のポジションへと回転され、また、図４８において、爪制御部材１８は、他のポジションへと回転されている。
【００２３】
図７および図８から明らかなように、爪制御部材１８の第１制御スリーブ１０２は爪制御凹部１０２ａ，１０２ｂを有している。ハブ１２を完全に組み立てた状態では、図５に示すように、第１制御スリーブ１０２はハブ軸２４の第１爪制御アーム収容凹部４２内に配置される。爪制御凹部１０２ａ，１０２ｂは、第４太陽ギア爪８４の凸部８４ａと相互作用するように構成されている。例えば、爪制御部材１８が動力伝達経路を選択するよう移動されるとき、第４太陽ギア爪８４の凸部８４ａは爪制御凹部１０２ａ，１０２ｂの一方あるいは他方へと移動でき、そして、第４太陽ギア爪８４は径方向外側へ移動できる。その結果、第４太陽ギア爪８４は第４太陽ギア７８の内面と係合し、これにより、第４太陽ギア７８はハブ軸２４に対して相対的に回転しなくなる。
【００２４】
図７および図８から明らかなように、爪制御部材１８の第２制御スリーブ１０４は爪制御凹部１０４ａ，１０４ｂを有している。ハブ１２を完全に組み立てた状態では、図５に示すように、第２制御スリーブ１０４はハブ軸２４の第２爪制御アーム収容凹部４４内に配置される。爪制御凹部１０４ａ，１０４ｂは第３太陽ギア爪８２の凸部８２ａと相互作用するように構成されている。例えば、爪制御部材１８が動力伝達経路を選択するよう移動されるとき、第３太陽ギア爪８２の凸部８２ａは爪制御凹部１０４ａ，１０４ｂの一方あるいは他方へと移動でき、そして、第３太陽ギア爪８２は径方向外側へ移動できる。その結果、第３太陽ギア爪８２は第３太陽ギア７６の内面と係合し、これにより、第３太陽ギア７６はハブ軸２４に対して相対的に回転しなくなる。
【００２５】
図７および図８から明らかなように、爪制御部材１８の第３制御スリーブ１０６は爪制御凹部１０６ａ，１０６ｂを有している。ハブ１２を完全に組み立てた状態では、図５に示すように、第３制御スリーブ１０６はハブ軸２４の第３爪制御アーム収容凹部５０内に配置される。爪制御凹部１０６ａ，１０６ｂは第２太陽ギア爪８０の凸部８０ａと相互作用するように構成されている。例えば、爪制御部材１８が動力伝達経路を選択するよう移動されるとき、第２太陽ギア爪８０の凸部８０ａは爪制御凹部１０６ａ，１０６ｂの一方あるいは他方へと移動でき、そして、第２太陽ギア爪８０は径方向外側へ移動できる。その結果、第２太陽ギア爪８０は第２太陽ギア７４の内面と係合し、これにより、第２太陽ギア７４はハブ軸２４に対して相対的に回転しなくなる。
【００２６】
爪制御部材１８の位置決めにより、どの動力伝達経路すなわちどのギア比がハブ１２内で係合状態となるかが決定される。ここで説明する発明の実施形態においては、８つの動力伝達経路（後述）がある。本発明を、任意の数の動力伝達経路を有するハブに用いることができ、本発明が８つの動力伝達経路を有するハブに用いることに限定されない。例えば、本発明を、２つの動力伝達経路あるいはそれより多い動力伝達経路、またあるいは１０以上もの動力伝達経路を有するハブに用いることができる。
【００２７】
図３、図４および図５に示すように、爪制御部材１８のベーススリーブ１００の遠端部１０８は、ハブ軸２４の軸中心に対して相対的に径方向に延びている１つのギア歯１１０を有する。以下に、ギア歯１１０の機能を説明する。
【００２８】
図２および図１０に示すように、クラッチリング２０は、外周に、第１セットのギア歯１２０と、第２セットのギア歯１２２と、を備える環状の部材である。クラッチリング２０の内周面は、保持クリップ１２４と、径方向内側への延設部１２６と、を備える。シフトキー部材７０は、保持クリップ１２４と径方向内側への延設部１２６との間で、軸方向に移動制限されている。クラッチリング２０は、ハブシェル２６および駆動体２５から径方向内側に、かつシフト機構１６から径方向外側に配置される。図５３および図５４に示すように、クラッチリング２０は、ハブ軸２４に対して相対的な軸方向の移動の制限を受けることができ、かつ、ハブ軸２４の回りに回転可能である。
【００２９】
次に、図２を参照して駆動体２５を説明する。駆動体２５は、従来と同様にベアリングＢ１によってハブ軸２４回りに回転可能に支持される、いくつかの異なる直径部を有する概ね環状の部材である。駆動体２５は、ハブシェル２６を支持するベアリングＢ３をさらに支持する。
【００３０】
駆動体２５は、径方向内面のギア歯１３４と、チェーンスプロケットサポート部１３６と、径方向外側部の爪係合部１３８と、径方向内側部のシフトアシストギア歯１４０と、を備える。ギア歯１３４はクラッチリング２０の第１セットのギア歯１２０と噛み合うよう設けられており、これにより、クラッチリング２０は、常に駆動体２５とともに回転する。しかしながら、クラッチリング２０は、後述の通り、軸方向にギア歯１３４の長さに沿って移動可能である。駆動体２５のチェーンスプロケットサポート部１３６は、駆動体２５とともに回転するよう駆動体２５に固定的に取り付けられているチェーンスプロケット１４２を支持する。駆動体２５、クラッチリング２０、およびチェーンスプロケット１４２は、単一ユニットとしてともに回転する。爪係合部１３８およびシフトアシストギア歯１４０の目的を以下に説明する。
【００３１】
クラッチリング２０は、図５４および図５９〜図６２に示す第１ポジションから、図２、図５３および図６３〜図６６に示す第２ポジションへと移動可能である。図５４および図５９〜図６２に示す第１ポジションにおいて、クラッチリング２０は、アイドル状態にあり、駆動体２５とともに回転する。したがって、クラッチリング２０が第１ポジションにある状態では、駆動体２５からのトルクは、以下に詳細に説明するように、図５９〜図６２に示す第１動力伝達経路の第１グループにおいては、爪９２を介して第１リングギア９４に伝達される。図２、図５３および図６３〜図６６に示す第２ポジションにおいては、クラッチリング２０の第２のセットギア歯１２２は、遊星ギアキャリヤ８６のギア歯と係合し、噛み合っており、駆動体２５からのトルクは、以下に詳細に説明するように、図６３〜図６６に示す動力伝達経路の第２グループにおいては、駆動体２５から遊星ギアキャリヤ８６へと伝達される。後述する通り、クラッチリング２０は、第１および第２ポジション間で、シフト機構１６によって移動される。以下により詳細に説明するように、シフトキー部材７０は、クラッチリング２０をシフト機構１６の一部分に連結するよう機能し、これにより、クラッチリング２０がクラッチリング２０の第１ポジション（図５４）と第２ポジション（図５３）との間で移動する。
【００３２】
次に、特に図２、図４および図１０を参照して、シフトキー部材７０を説明する。シフトキー部材７０は、環状のリング状部材であり、１組の径方向内側に延設されるカム従動部１４４を有する。上述の通り、図２および図１０に示すように、シフトキー部材７０の外側環状部は、クラッチリング２０の保持クリップ１２４と径方向内側への延設部１２６との間で移動が制限されている。
【００３３】
次に、特に図２を参照して、第１太陽ギア７２を説明する。第１太陽ギア７２は、従来と同様にハブ軸２４に回転不能に支持される。第１太陽ギア７２は、従来と同様に、第１セットの遊星ギア８８の小径ギア歯と噛み合う径方向外側に延設されるギア歯を有する。
【００３４】
図２に示すように、カム部１５２は第１太陽ギア７２に隣接して配置される。カム部１５２はハブ軸２４の変速サポート部２８に回転不能に組み付けられる。図４から明らかなように、カム部１５２は、１組の第１カム面１５４、第２カム面１５６および第３カム面１５８を有する。以下により詳細に説明する通り、カム部１５２は、シフトキー部材７０およびクラッチリング２０を、図５３および図５４に示す第１および第２ポジション間で移動させるよう構成される。シフトキー部材７０は、第１太陽ギア７２のカム部１５２の外径より少し大きい全体的な内径（１組の径方向内側に延設されるカム従動部１４４がない部分）を有する。しかしながら、シフトキーガイド１７０の説明において以下にさらに説明するように、１組の径方向内側に延設されるカム従動部１４４は、カム部１５２の内面を越えて径方向内側に延びている。
【００３５】
次に、特に図２および図３を参照して、第２太陽ギア７４、第３太陽ギア７６、および第４太陽ギア７８を説明する。第２太陽ギア７４、第３太陽ギア７６、および第４太陽ギア７８は、すべて、ハブ軸２４に対して相対的に選択的に回転可能である。第２太陽ギア７４、第３太陽ギア７６、および第４太陽ギア７８は、それぞれ従来の内部爪ラチェットおよび外側ギア歯を有する。
【００３６】
図３に示すように、第２太陽ギア爪８０は、制御部８０ａと、スプリング８０ｂと、を備える。第２太陽ギア爪８０の制御部８０ａは、ハブ軸２４の凹部６４の第３部分６４ｃ内に回動可能に保持されており、これにより、第２太陽ギア爪８０が径方向外側に選択的に回動することができ、そして、第２太陽ギア７４の内部爪ラチェット歯に対して段階的に移動することができる。スプリング８０ｂは、スプリング収容凹部５２に組み付けられ、第２太陽ギア爪８０を外側へ付勢する。第２太陽ギア爪８０は、ハブ軸２４に対して相対的なポジションに留まり、爪制御部材１８の位置決めに応じて第２太陽ギア７４の内側ラチェット歯と選択的に係合する。より具体的には、第３制御スリーブ１０６の爪制御凹部１０６ａ，１０６ｂのうちの一方が、第２太陽ギア爪８０の制御部８０ａと並ぶとき、第２太陽ギア爪８０は径方向外側に移動して第２太陽ギア７４の内側ラチェット歯と当接し、これにより第２太陽ギア７４が一方の回転方向にのみ回転可能となる。言いかえれば、第２太陽ギア爪８０は一方向クラッチとして機能する。それ以外のとき、制御部８０ａと第３制御スリーブ１０６の他の残りの部分との当接により、第２太陽ギア爪８０が径方向内側に引っ張られ、第２太陽ギア７４は従来と同様にハブ軸２４回りにフリーホイール状態である。
【００３７】
同様に、第３太陽ギア爪８２は、制御部８２ａと、スプリング８２ｂと、を備える。第３太陽ギア爪８２の制御部８２ａは、ハブ軸２４の凹部６４の第２部分６４ｂ内に回動可能に保持されており、これにより、第３太陽ギア爪８２が、径方向外側に選択的に回動することができ、そして、第３太陽ギア７６の内部爪ラチェット歯に対して段階的に移動することができる。スプリング８２ｂは、スプリング収容凹部４８に組み付けられ、第３太陽ギア爪８２を外側へ付勢する。第３太陽ギア爪８２は、ハブ軸２４に対して相対的なポジションに留まり、そして、爪制御部材１８の位置決めに応じて、第３太陽ギア７６の内側ラチェット歯と選択的に係合する。より具体的には、第２制御スリーブ１０４の爪制御凹部１０４ａ，１０４ｂのうちの一方が第３太陽ギア爪８２の制御部８２ａと並ぶとき、第３太陽ギア爪８２は径方向外側に移動して第３太陽ギア７６の内側ラチェット歯と当接し、これにより第３太陽ギア７６が一方の回転方向にのみ回転可能となる。言いかえれば、第３太陽ギア爪８２は一方向クラッチとして機能する。それ以外のとき、制御部８２ａと第２制御スリーブ１０４の他の残りの部分との当接により、第３太陽ギア爪８２が径方向内側に引っ張られ、第３太陽ギア７６は従来と同様にハブ軸２４回りにフリーホイール状態である。
【００３８】
同様に、第４太陽ギア爪８４は、制御部８４ａと、スプリング８４ｂと、を備える。第４太陽ギア爪８４の制御部８４ａは、ハブ軸２４の凹部６４の第１部分６４ａ内に回動可能に保持されており、これにより、第４太陽ギア爪８４が、径方向外側に選択的に回動することができ、そして、第４太陽ギア７８の内部爪ラチェット歯に対して段階的に移動することができる。スプリング８４ｂは、スプリング収容凹部４６に組み付けられ、第４太陽ギア爪８４を外側へ付勢する。第４太陽ギア爪８４は、ハブ軸２４に対して相対的なポジションに留まり、爪制御部材１８の位置決めに応じて、第３太陽ギア７６の内側ラチェット歯と選択的に係合する。より具体的には、第１制御スリーブ１０２の爪制御凹部１０２ａ，１０２ｂのうちの一方が第４太陽ギア爪８４の制御部８４ａと並ぶとき、第４太陽ギア爪８４は、径方向外側に移動して第４太陽ギア７８の内側ラチェット歯と当接し、これにより第４太陽ギア７８が一方の回転方向にのみ回転可能となる。言いかえれば、第４太陽ギア爪８４は一方向クラッチとして機能する。それ以外のとき、制御部８４ａと第１制御スリーブ１０２の他の残りの部分との当接により、第４太陽ギア爪８４が径方向内側に引っ張られ、第４太陽ギア７８は従来と同様にハブ軸２４回りにフリーホイール状態である。
【００３９】
図２に示すように、遊星ギアキャリヤ８６は、第１セットの遊星ギア８８および第２セットの遊星ギア９０を支持するシャフトを備える従来のケージ状部材である。より具体的には、遊星ギアキャリヤ８６は、ハブ軸２４回りに回転可能に支持される環状部を有する。遊星ギアキャリヤ８６は、従来と同様に、第１および第２セットの遊星ギア８８，９０を支持し保持するよう構成されている。遊星ギアキャリヤ８６は、小径部１６０と、大径部１６２と、を有する。図２の左側に示すように、小径部１６０は、ベアリングアッセンブリＢ２に隣接して配置される。遊星ギアキャリヤ８６の大径部１６２は、第１および第２遊星ギア８８，９０のセットを支持する複数のシャフト１６４を備えており、これにより、第１および第２遊星ギア８８，９０は、遊星ギアキャリヤ８６のシャフト１６４の回りに自由に回転する。また、大径部１６２は、図２、図５３および図６３〜６６に示すクラッチリング２０が第２ポジションにある状態では、クラッチリング２０の第２セットのギア歯１２２と係合するように構成されている、クラッチリング２０に隣接するギア歯を有する。
【００４０】
遊星ギアキャリヤ８６は、好ましくは、３つの第１セットの遊星ギア８８（図２では１つのみを図示）と、３つの第２セットの遊星ギア９０（図２では１つのみを図示）と、を支持する。それぞれの第１セットの遊星ギア８８は、小径セットのギア歯８８ａと、大径セットのギア歯８８ｂと、を有する。小径セットのギア歯８８ａは第１太陽ギア７２の外側ギア歯と噛み合う。第１太陽ギア７２の大径セットのギア歯８８ｂは第１リングギア９４の内側ギア歯と噛み合う。
【００４１】
それぞれの第２セットの遊星ギア９０は、小径セットのギア歯９０ａと、中間径セットのギア歯９０ｂと、１セットの大径セットのギア歯９０ｃと、を有する。小径セットのギア歯９０ａは、第２太陽ギア７４の外側ギア歯および第２リングギアの内側ギア歯９６と噛み合う。中間径セットのギア歯９０ｂは、第３太陽ギア７６の外側ギア歯と噛み合う。大径セットのギア歯９０ｃは、第４太陽ギア７８の外側ギア歯と噛み合う。
【００４２】
爪９２は、駆動体２５の爪係合部１３８と第１リングギア９４の一部との間に配置される。爪９２は、駆動体２５から第１リングギア９４へトルクを伝達する一方向クラッチとして機能する。
【００４３】
図２に示すように、第１リングギア９４は、第１遊星ギア８８と、遊星ギアキャリヤ８６の大径部１６２の一部と、爪９２８と、を取り囲む環状部材である。第１リングギア９４は、ハブ軸２４、ハブシェル２６および遊星ギアキャリヤ８６に対して相対的に回転可能である。第１リングギア９４は複数の内側ラチェット歯９４ａおよび内側ギア歯９４ｂを有する。内側ギア歯９４ｂは第１遊星ギア８８の大径ギア歯８８ａと噛み合う。内側ラチェット歯９４ａは爪９２と係合するよう構成されている。爪９８は、第１リングギア９４が駆動体２５に対して一方向にのみ回転することを可能にする一方向クラッチとして機能する。
【００４４】
図２に示すように、第２リングギア９６は、ハブシェル２６に、複数の従来のローラおよびカム面を有するローラクラッチ１６６の態様の一方向クラッチを介して連結される。
【００４５】
図２に示すように、爪９８は、遊星ギアキャリヤ８６の小径部１００の一部に、従来と同様に保持される。爪９８は遊星ギアキャリヤ８６からハブシェル２６へトルクを伝達する一方向クラッチとして機能する。
【００４６】
第２、第３および第４太陽ギア８０，８２，８４、遊星ギアキャリヤ８６、および第１および第２セットの遊星ギア８８の全体的な動作および機能は、例えば米国特許６，６０７，４６５号に開示された内容と同様である。
【００４７】
次に、図４をまず参照して、シフト機構１６を説明する。シフト機構１６は、基本的に、以下のエレメントを備える。すなわち、爪制御部材１８と、シフトキー部材７０と、シフトキーガイド１７０と、周方向付勢スプリング１７２と、位置決め部材２２と、軸方向付勢スプリング１７４と、クリップ１７６と、スプリングワッシャ１７８と、爪サポート１８０と、１組の爪１８２と、１組の爪シャフト１８４と、シフトスリーブ１８６と、爪制御ワッシャ１８８と、保持プレート１９０と、ベアリングコーン１９１と、アクチュエータプレート１９２と、スペーサ１９４と、カップリングプレート１９６と、スプリング１９８と、回転可能なケーブルブラケット２００と、固定ケーブルブラケット２０２と、を備える。
【００４８】
図４に示したエレメントの相対的な寸法は、必ずしも一定の縮尺ではないことは、以下の説明から理解されよう。例えば、種々のエレメントの内径および外径は、隣接したエレメントと、正確に一定の縮尺ではない場合もある。むしろ、シフト機構１６の種々のエレメント間の相対的な寸法関係は、図２、図５３および図５４において、同じく後述する種々のエレメント間の動作関係によって明らかにされている。
【００４９】
シフト機構１６の爪制御部材１８およびシフトキー部材７０は、上述の通りである。ここでは、爪制御部材１８およびシフトキー部材７０を、爪制御部材１８と、シフトキー部材７０と、シフト機構１６の種々の他のエレメントと、の動作関係を説明することを目的として、以下に追加説明する。
【００５０】
次に、図１１〜図１４および図４９〜図５１を参照して、シフトキーガイド１７０を説明する。図４９〜図５１に示すように、シフトキーガイド１７０はハブ軸１２４回りに回転可能に配置される。
【００５１】
図１１〜図１４を参照して、シフトキーガイド１７０は、中央ディスク部２１０と、周囲に円弧状壁部２１２，２１４，２１６の組と、を有する全体的にカップ形状である。中央ディスク部２１０は、切り欠きすなわち凹部２２２と、３つのギア歯状凸部２２３と、を有する中央ボア２２０（中央ハブ軸収容アパーチャ）を有する（図１１、図１２、図４９および図５０参照）。中央ボア２２０は、ハブ軸２４の一部の周辺にフィットするように形成されている。具体的には、図４９および図５０に示すように、中央ボア２２０は、それぞれの凸部３２，３４，３６の最も外側の面によって定義される直径とほぼ同じかあるいは少し大きい直径を有する。したがって、シフトキーガイド１７０は、ハブ軸２４回りに、凸部３２，３４，３６より外側で回転可能である。
【００５２】
図４９および図５０に示すように、シフトキーガイド１７０の中央ディスク部２１０の凹部２２２は、爪制御部材１８の遠端部１０８を収容可能である。したがって、シフトキーガイド１７０が回転されると、すなわちハブ軸２４回りに周方向変位を受けると、爪制御部材１８は、ハブ軸２４回りにシフトキーガイド１７０と一体に移動する。言いかえれば、シフトキーガイド１７０および爪制御部材１８は、ハブ軸２４に対して相対的に単一ユニットとして回転する。
【００５３】
それぞれのシフトキーガイド１７０のギア歯状凸部２２３は、逆Ｖ字形状を形成する傾斜平面を有する。このＶ字形状は、爪制御部材１８の遠端部１０８のギア歯１１０の形状と一致する相補状である。また、ギア歯状凸部２２３の径方向内側部（図５１では破線で示す）は、爪制御部材１８の遠端部１０８のギア歯１１０と周方向に並ぶ。
【００５４】
図１１〜図１３および図５２から明らかなように、シフトキーガイド１７０の円弧状壁部２１２は、中央のディスク部２１０から円弧状壁部２１４，２１６のどちらよりも、より離れて延設される。円弧状壁部２１２の端部は当接部２２４を有する。当接部２２４は、後述する通り、爪サポート１８０の一部と当接するように形成されている。
【００５５】
円弧状壁部２１２，２１４，２１６の最小内径は、付勢スプリング１７２，１７４、および位置決め部材２２より大きい。また、図５３および図５４に示すように、付勢スプリング１７２の一方の端部、付勢スプリング１７４の一方の端部、および位置決め部材２２は、シフトキーガイド１７０内へと延びている。
【００５６】
上述の通り、シフトキー部材７０の１組の径方向内側に延設されるカム従動部１４４は、カム部１５２の内部へと径方向内側に延びている。図５５および図５６に示すように、１組の径方向内側に延設されるカム従動部１４４は、円弧状壁部２１２，２１４の組の間に形成されたギアップへと、さらに延びている。第１太陽ギア７２、および第１太陽ギア７２のカム部１５２は、ハブ軸２４に対して相対的に回転できない。したがって、シフトキーガイド１７０がハブ軸２４に対して相対的に回転されると、カム従動部１４４は、第１太陽ギア７２のカム部１５２のカム面１５６との当接によって軸方向に移動される。より具体的には、図５５に示すように、第１回転ポジションにおいて、カム従動部１４４は第１太陽ギア７２のカム部１５２のカム面１５４と当接する。図５６に示すように、シフトキーガイド１７０が回転されると、カム従動部１４４はカム面１５６と当接し、カム面１５８へと移動される。
【００５７】
シフトキー部材７０が、クラッチリング２０内に移動制限されるので、クラッチリング２０はシフトキー部材７０とともに軸方向に移動する。例えば、シフトキー部材７０のカム従動部１４４がカム面１５４と当接している状態では（図５５）、クラッチリング２０は図５３および図５７に示すポジションにある。シフトキー部材７０がシフトキーガイド１７０の回転によって回転すると、シフトキー部材７０のカム従動部１４４がカム面１５８と当接するまで（図５６）、シフトキー部材７０のカム従動部１４４はカム面１５６に沿ってスライドする。したがって、クラッチリング２０は図５４および図５８に示すポジションに移動される。図５３および図５４に示すように、付勢スプリング２２５は、クラッチリング２０を図５３および図５７に示すポジションに向かって付勢する。
【００５８】
図４、図５３および図５４を参照して、付勢スプリング１７２を説明する。付勢スプリング１７２は、基本的に、位置決め部材２２の直径より大きい直径を有するが、シフトキーガイド１７０へと少なくとも部分的に延びるのに十分に小さいコイルばねである。付勢スプリング１７２は、第１端部２２６と、第２端部２２８と、を有する（図４参照）。図５３および図５４に示すように、第１端部２２６は、シフトキーガイド１７０の隣接した円弧状壁部２１４，２１６間に形成されたギアップに係止するように形成されている。第２端部２２８は、スプリングワッシャ１７８の外周に形成された凹部１７８ａに係止するように形成されている。シフト機構１６の動作に際し、付勢スプリング１７２は、シフトキーガイド１７０および爪制御部材１８を、後述するより低い速度動力伝達経路の方向に付勢する。
【００５９】
次に、図１５〜図２０を特に参照して、位置決め部材２２を説明する。後述する通り、位置決め部材２２は、ハブ軸２４に対して相対的に回転方向に移動不能な円筒状部材である。位置決め部材２２は、爪制御部材１８を、ハブ軸２４に対して相対的な爪制御部材１８位置の選択されたいずれか１つに強制的に留めるよう構成される。より具体的には、爪制御部材１８が、ハブ軸２４の周辺の種々のポジション（変速段１〜８に対応する）に移動されると、位置決め部材２２は、爪制御部材１８を強制的に所定位置すなわち周方向配置へと高精度に位置づける。これらの周方向配置は、動力伝達アッセンブリ１４の動力伝達経路（変速段１〜８）のそれぞれに対応する。
【００６０】
位置決め部材２２は、基本的に、外側環状部２３０と内側円筒部２３２とを有する環状リング形状である。外側環状部２３０は、外側環状部２３０の軸方向面上に軸方向に延設される複数のギア歯２３４を有する。図５１に示すように、外側環状部２３０（ギア歯２３４を有している）は、爪制御部材１８のベーススリーブ１００（シフト制御スリーブ）のギア歯１１０（凸部）と当接するよう配列される。また、図５１に示すように、外側環状部２３０（ギア歯２３４を有している）は、シフトキーガイド１７０の３つのギア歯状凸部２２３と当接するよう配列される。
【００６１】
図１５〜図２０に示すように、位置決め部材２２のギア歯２３４は、爪制御部材１８のギア歯１１０およびシフトキーガイド１７０の３つのギア歯凸部２２３の形状と相補状の傾斜平面を有する。爪制御部材１８のベーススリーブ１００のギア歯１１０（凸部）、シフトキーガイド１７０の３つのギア歯状凸部２２３、および位置決め部材２２のギア歯２３４間の相互作用により、第２、第３および第４太陽ギア爪８０，８２，８４に対して相対的な、爪制御部材１８の高精度な位置決めが提供される。
【００６２】
図５２に示すように、外側環状部２３０は、シフトキーガイド１７０の内径未満である外径を有しており、これにより、位置決め部材２２がシフトキーガイド１７０内に配置される。内側円筒部２３２は、ハブ軸２４のシフト制御サポート部２７とほぼ等しいかあるいは少し大きい内径を有する。内側円筒部２３２は、２つの小さい凹部２３６と、１つの大きい凹部２３８と、を有する。小さい凹部２３６は、ハブ軸２４のシフト制御サポート部２７の凸部３４，３６を収容するよう形成されている。大きい凹部２３８は、ハブ軸２４のシフト制御サポート部２７の凸部３２を収容するよう形成されている。その結果、図２および図５２に示すように、位置決め部材２２は、高精度にハブ軸２４に組み付けられ、ハブ軸２４に対して相対的に回転できない。しかしながら、位置決め部材２２は、スプリング１７４によって付勢され、ハブ軸２４に対して相対的な軸方向の移動の制限を受けることが可能である。
【００６３】
図４、図５３および図５４に示すように、シフトキーガイド１７０は、ハブ軸２４の変速サポート部２８と位置決め部材２２との間に配置される。クリップ１７６は、ハブ軸２４のシフト制御サポート部２７の環状凹部３８内に組み付けられる。スプリング１７４は、クリップ１７６と位置決め部材２２との間で移動制限される。したがって、スプリング１７４は、位置決め部材２２のギア歯２３４を軸方向に付勢し、これにより、爪制御部材１８のベーススリーブ１００のギア歯１１０およびシフトキーガイド１７０の３つのギア歯状凸部２２３と当接する。
【００６４】
図２１および図２２に示すように、スプリングワッシャ１７８は凹部１７８ａを有するディスク状部材である。スプリングワッシャ１７８は、円筒部２４４と、中間部２４６と、外側径方向延設部２４８と、を有する。円筒部２４４は１組の凹部２５０（図４において図示）を有する。中間部２４６は環状スペースを形成する。ハブ１２が完全に組み立てられた状態では、クリップ１７６は、図５３および図５４に示すように、中間部２４６によって形成された環状スペース内に配置される。外側径方向延設部２４８は、１組の円弧状凸状部２５２と、凹部１７８ａと、を有する。
【００６５】
スプリングワッシャ１７８の外側径方向延設部２４８（円弧状凸状部２５２がない部分）は、シフトキーガイド１７０の円弧状壁部２１２の当接部２２４の内面間の距離と同じかあるいは少し小さい外径を有する。外側径方向延設部１４８の円弧状凸状部２５２によって定義される外径は、シフトキーガイド１７０の最大外径と同じかあるいは少し大きい。ハブ１２が組み立てられた状態では、円弧状凸状部２５２はシフトキーガイド１７０の当接部２２４と当接することができる。したがって、シフトキーガイド１７０は、スプリングワッシャ１７８に関して相対的な回転の制限を受けることが可能である。
【００６６】
後述する通り、スプリングワッシャ１７８は、ハブ軸２４のシフト制御サポート部２７の回りに自由に回転可能であるが、シフト機構１６の他のエレメントとの相互作用によって、回転が制約されることが可能である。具体的には、スプリング１７２の第２端部２２８は、凹部１７８ａに係止し、そして、円弧状凸状部２５２が、シフトキーガイド１７０の当接部２２４と当接することができる。また、シフトスリーブ１８６および爪制御ワッシャ１８８は、後述する通り、スプリングワッシャ１７８と機能的に相互作用する。
【００６７】
次に、図４および図２３を参照して、爪サポート１８０、爪１８２、および爪シャフト１８４を説明する。図２３に示すように、爪サポート１８０は、中央開口部２６０と、爪シャフトサポートアパーチャ２６２と、１組の内側凹部２６４と、１組の外側縁端凹部２６６と、を有するディスク状部材である。中央開口部２６０は、スプリングワッシャ１７８の円筒部２４４へ組み付けられるように形成されている。具体的には、スプリングワッシャ１７８の円筒部２４４の外径は、中央の開口部２６０の内径よりほんの少し小さく、これにより、爪サポート１８０が、スプリングワッシャ１７８の円筒部２４４回りの相対的な回転の制限を受けることが可能である。
【００６８】
図５３および図５４に示すように、爪シャフトサポートアパーチャ２６２は、爪シャフト１８４を収容するよう形成されている。さらに後述する通り、内側凹部２６４は、シフトスリーブ１８６の一部を収容するよう形成されている。爪サポート１８０の外側縁端凹部２６６は、シフトキーガイド１７０の円弧状壁部２１２の当接部２２４を収容するよう形成されている。より具体的には、シフトキーガイド１７０の円弧状壁部２１２の当接部２２４の直径および円弧幅は、爪サポート１８０の外側縁端凹部２６６内にぴったりとフィットするよう形成されている。したがって、シフトキーガイド１７０および爪サポート１８０は、一体的に単一ユニットとして両方の周方向に回転する。
【００６９】
次に、図４、図２４および図２５を参照して、シフトスリーブ１８６を説明する。シフトスリーブ１８６は、基本的に、どちらの軸方向端部からも延設される互いに対になっている組の凸状部を有する円筒状部材である。図２４および図２５から明らかなように、シフトスリーブ１８６は、円筒状部２７２と、第１凸状部２７４と、第２凸状部２７６と、を有する。第１凸状部２７４は、スプリングワッシャ１７８の凹部２５０に対応する直径および円弧幅で形成されている。また、第１凸状部２７４は、スプリングワッシャ１７８の凹部２５０にぴったりとフィットするよう形成されている。その結果、スプリングワッシャ１７８およびシフトスリーブ１８６は、一体的に単一ユニットとして回転する。第２凸状部２７６は第１凸状部２７４と同じ直径を有する。しかしながら、第２凸状部２７６は第１凸状部２７４より狭い円弧幅を有する。第２凸状部２７６は、第１凸状部２７４よりも軸方向にかなり長い。第２凸状部２７６の遠端部は当接部２７８を有する。
【００７０】
次に、特に図４、図２６および図２７を参照して、爪制御ワッシャ１８８を説明する。爪制御ワッシャ１８８は、中央開口部２８０と、中央開口部２８０から延びる１組の凹部２８２と、爪制御ワッシャ１８８の外周から軸方向における延設される１組の凸部２８４と、を有するディスク状部材である。中央開口部２８０は、ハブ軸２４のシフト制御サポート部２７回りに回転可能にフィットするよう形成されている。凹部２８２は、シフトスリーブ１８６の第２凸状部２７６に対応する円弧幅および直径で形成されている。具体的には、シフトスリーブ１８６の第２凸状部２７６は、爪制御ワッシャ１８８の凹部２８２を通って延びる。その結果、爪制御ワッシャ１８８、シフトスリーブ１８６、およびスプリングワッシャ１７８は、すべて一体的に単一ユニットとして回転する。
【００７１】
図６７〜図６９に示すように、凸部２８４は、爪１８２と当接し、爪１８２の動作を制御するように形成されている。より具体的には、爪サポート１８０、爪１８２、爪制御ワッシャ１８８、および駆動体２５のシフトアシストギア歯１４０は、すべてシフトアシスト機構としてともに作用する。シフトアシスト機構の動作を、ハブ１２のさらなるエレメントの説明の後、図６７〜図６９を参照して以下に説明する。
【００７２】
次に、特に図２８および図２９を参照して、保持プレート１９０を説明する。保持プレート１９０は、１組の同一の凸部２９０を有する環状のリング状部材である。それぞれの凸部２９０は、第１部２９２と、第２部２９４と、を有する。凸部２９０は保持プレート１９０から内側へ延設される。第１部２９２間の距離は、ハブ１２が完全に組み立てられた状態で、第１部２９２がハブ軸２４の軸方向に延びる溝３０へと延びるように設定されている。したがって、保持プレート１９０はハブ軸２４に対して相対的に回転することができない。しかしながら、保持プレート１９０の外側環状部は、ハブ軸２４から、第２部２９４の厚さと等しい距離、間隔をあけて配置されている。こうして、ギアップが、ハブ軸２４のシフト制御サポート部２７の外面、保持プレート１９０の外側環状部の内面、および凸部２９０の第２部２９４の間に形成される。
【００７３】
凸部２９０の第２部２９４は、シフトスリーブ１８６の第２凸状部２７６の直径と等しい直径の位置で配置される。より具体的には、ハブ１２が完全に組み立てられた状態では、シフトスリーブ１８６の第２凸状部２７６は、図５３および図５４に示すように、保持プレート１９０の凸部２９０の第２部２９４間に形成されたギアップを通って延びる。シフト機構１６の動作に際し、シフトスリーブ１８６は、凸部２９０の第２部２９４の面との当接によって、ハブ軸２４回りに１８０度より少し小さく回転することができる。より具体的には、シフトスリーブ１８６の回転は凸部２９０の第２部２９４によって制限されている。
【００７４】
次に、特に図４を参照して、ベアリングコーン１９１を説明する。ベアリングコーン１９１は、ベアリングＢ１を支持する外面と、保持プレート１９０の凸状部２９０の第１部２９２と同様な１組の内側に延設される凸状部２９８と、を有する。具体的には、凸状部２９８は、ハブ１２が完全に組み立てられた状態で、ハブ軸２４の軸方向に延びる溝へと延びるよう形成されている。したがって、ベアリングコーン１９１は、ハブ軸２４に対して相対的に回転することができない。しかしながら、ベアリングコーン１９１の外側環状部の他の残りの部分の内面は、ハブ軸２４から、シフトスリーブ１８６の第２凸状部２７６の厚さと等しい距離、間隔をあけて配置されている。したがって、シフトスリーブ１８６の第２凸状部２７６は、図５３および図５４に示すように、ベアリングコーン１９１の内部を通って延びる。また、ベアリングコーン１９１はシフトスリーブ１８６の回転とは干渉しない。
【００７５】
次に、特に図３０および図３１を参照して、アクチュエータプレート１９２を説明する。アクチュエータプレート１９２は、外側凸状部３００と、内側凸状部３０２と、を有するリング状部材である。６つの外側凸状部３００と、４つの内側凸状部３０２と、が備えられている。後述する通り、外側凸状部は、カップリングプレート１９６の部分と噛み合うあるいは係合するよう形成されている。内側凸状部３０２は互いに組になっており、内側凸状部３０２のそれぞれの組は、間にギアップ３０４を形成する。図５３および図５４に示すように、ギアップ３０４は、シフトスリーブ１８６の第２凸状部２７６の当接部２７８を収容するよう形成されている。より具体的には、シフトスリーブ１８６の第２凸状部２７６は、保持プレート１９０およびベアリングコーン１９１を通って延び、これにより当接部２７８がギアップ３０４へとフィットする。したがって、アクチュエータプレート１９２およびシフトスリーブ１８６は、一体的に単一ユニットとして回転する。また、アクチュエータプレート１９２、シフトスリーブ１８６、爪制御ワッシャ１８８、およびスプリングワッシャ１７８は、すべて一体的に単一ユニットとして回転する。
【００７６】
次に、特に図３２および図３３を参照してスペーサ１９４を説明する。スペーサ１９４は、中央開口部３１０と、１組の内側に延設される凸部３１２と、１組の凸部３１４を形成する外径縮径セクションと、を有する環状のリング状エレメントである。内側に延設される凸部３１２は、ハブ軸２４のシフト制御サポート部２６の溝３０へと延びるよう形成されている。その結果、スペーサ１９４はハブ軸２４に対して相対的に回転することができない。
【００７７】
次に、特に図３４および図３５を参照してカップリングプレート１９６を説明する。カップリングプレート１９６は、中央開口部３２０と、第１凹状部３２２と、第２凹状部３２４と、外側リップ３２６と、を有するディスク状部材である。中央開口部３２０は、スペーサ１９４の外径とほぼ同じ直径を有する。したがって、図５３および図５４に示すように、カップリングプレート１９６はスペーサ１９４の外周の回りに回転することができる。
【００７８】
カップリングプレート１９６の第１凹状部３２２は複数の凹部３２８を有している。凹部３２８は、アクチュエータプレート１９２の外側凸状部３００と、ギア歯のように噛み合うよう形成されている。より具体的には、カップリングプレート１９６およびアクチュエータプレート１９２は、一体的に単一ユニットとして回転する。第２凹状部３２４は、起伏がなく、概ねフラットである。外側リップ３２６は、後述する通り、ギア歯として機能する３つの凹部３３０を有しており、これにより、回転可能なケーブルブラケット２００の一部と係合する。
【００７９】
図４４および図４５に示すように、スプリング１９８は、第１取付端部３３４と、第２取付端部３３６（図４５のみ）と、を有する。図５３および図５４に示すように、スプリング１９８は、回転可能なケーブルブラケット２００より少し小さい直径を有する。図５３および図５４に示すように、第１取り付け端部３３４は、回転可能なケーブルブラケット２００の一部の回りに係止する。スプリング１９８の第２取り付け端部３３６は、固定ケーブルブラケット２０２の一部の回りに係止される。したがって、スプリング１９８は、回転可能なケーブルブラケット２００を付勢し、これにより、固定ケーブルブラケット２０２に対して相対的に一方向に回転させる。
【００８０】
次に、特に図３６および図３７を参照して、回転可能なケーブルブラケット２００を説明する。回転可能なケーブルブラケット２００は、基本的に、一端に３つの軸方向に延設される凸部３４０と、外側面上にケーブル収容溝３４２と、ケーブル取り付け凸部３４４と、１組フック状凸部３４６と、を有するリング状部材である。
【００８１】
３つの軸方向に延設される凸部３４０は、カップリングプレート１９６の外側リップ３２６に形成された３つの凹部３３０へとぴったりとフィットするよう形成されている。したがって、カップリングプレート１９６および回転可能なケーブルブラケット２００は、一体的に１つのユニットとして回転する。ケーブル取り付け凸部３４４は、回転可能なケーブルブラケット２００から径方向に延設されており、ケーブル取り付け開口部３４８を有している。１組のフック状凸部３４６は、まず、回転可能なケーブルブラケット２００から軸方向に離れるよう延びており、そして、フック形状を形成するよう径方向外側に曲がっている。
【００８２】
次に、特に図３８および図３９を参照して、固定ケーブルブラケット２０２を説明する。固定ケーブルブラケット２０２は、２つの対向する凹部３５２を有する中央アパーチャ３５０と、環状の凹状部３５４と、外側環状凸部３５６と、ケーブル取り付け凸部３５８と、を有する複雑な形状の部材である。２つの対向する凹部３５２は、スペーサ１９４の凸部３１４と係合し、噛み合うように形成されている。スペーサ１９４がハブ軸２４に対して相対的に回転することができないので、固定ケーブルブラケット２０２も、また、ハブ軸２４に対して相対的に回転不能である。図５３および図５４に示すように、環状の凹状部３５４は、スプリング１９８の一部を収容するように備えられている。外側の環状の凸部３５６は、対応する径方向外側のギアップ３６４，３６６を有する円弧状凹部３６０，３６２を有する。
【００８３】
ケーブル取り付け凸部３５８は、従来のボーデンタイプケーブル３８０のアウタスリーブを保持するように構成されるケーブル取り付け端部３７０を有する。
【００８４】
ハブ１２を完全に組み立てた状態では、図５３および図５４に示すように、回転可能なケーブルブラケット２００のフック状凸部３４６は（ギアップ３６４，３６６を通って）円弧状凹部３６０，３６２内へと挿入される。円弧状凹部３６０，３６２が固定シャフト２４の中心軸に対応する中心を有するので、回転可能なケーブルブラケット２００は、固定ケーブルブラケット２０２に対して回転することができる。より具体的には、固定ケーブルブラケット２０２の円弧状凹部３６０，３６２の面は、回転可能なケーブルブラケット２００のフック状凸部３４６の支持面として機能する。言いかえれば、回転可能なケーブルブラケット２００のフック状凸部３４６は、固定ケーブルブラケット２０２の円弧状凹部３６０，３６２内で周方向にスライドする。
【００８５】
ワッシャ２０４（図４０および図４１に図示）は、固定ケーブルブラケット２０２をスペーサ１９４に保持するように形成されている。図５３および図５４に示すように、スペーサ２０６（図４２および図４３に図示）は、ハブ軸２４の端部へとネジ締めされるナット２０８とともに作用して、ワッシャ２０４を固定ケーブルブラケット２０２に対して保持する。
【００８６】
次に、シフト機構１４および動力伝達アッセンブリ１４の動作を説明する。
【００８７】
従来のレバー作動シフト機構（図示せず）は、自転車１０のハンドルバー（図示せず）上にあるいは隣接して組み付けられる。図１に示すように、従来のボーデンタイプケーブル３８０は、従来のレバー作動シフト機構からハブ１２へと延びている。図５３および図５４に示すように、ボーデンタイプケーブル３８０のインナケーブル３８２は、ケーブル収容溝３４２内の回転可能なケーブルブラケット２００の周辺に部分的に巻かれている。図示しないが、ボーデンタイプケーブル３８０のインナケーブル３８２は、回転可能なケーブルブラケット２００のケーブル取り付け凸部３４４のケーブル取り付け開口部３４８に接続されている。その結果、従来のレバー作動シフト機構（図示せず）の移動によって、ボーデンタイプケーブル３８０のインナケーブル３８２にテンションがかかる。インナケーブル３８２へのテンションによって、インナケーブル３８２が移動し、その結果、図５、図４７〜図５１、および図６７〜図６９に示すように、回転可能なケーブルブラケット２００が、第１ギアシフト方向Ｕ（シフトアップ方向）に回転する。インナケーブル３８２へのテンションが解放されると、スプリング１９８の付勢力によりケーブルが移動し、図５、図４７〜図５１、および図６７〜図６９に示すように、回転可能なケーブルブラケット２００が第２ギアシフト方向Ｄ（シフトダウン方向）に回転する。第２ギアシフト方向Ｄは第１ギアシフト方向Ｕの反対方向である。
【００８８】
回転可能なケーブルブラケット２００の第１ギアシフト方向Ｕの移動によって、シフト機構１６が動力伝達アッセンブリ１４内の動力伝達経路を変更し、これにより、サイクリストは自転車１０の速度を上げることができる。回転可能なケーブルブラケット２００の第２ギアシフト方向Ｄの移動によって、シフト機構１６が動力伝達アッセンブリ１４内の動力伝達経路を変更し、これにより、サイクリストは自転車１０の速度を上げることができる。
【００８９】
図示した実施形態においては、８つの異なる動力伝達経路すなわち変速段（変速段１〜８）がある。以下に、シフト機構１４の動作の説明に続いて、特に変速段１〜８について、より詳細に説明する。
【００９０】
シフト機構１４は、回転可能なケーブルブラケット２００の移動によって動作される。上述の通り、図５３および図５４に示すように、回転可能なケーブルブラケット２００は、カップリングプレート１９６と係合し、カップリングプレート１９６とともに回転する。カップリングプレート１９６は、アクチュエータプレート１９２と係合し、アクチュエータプレート１９２とともに回転する。アクチュエータプレート１９２は、シフトスリーブ１８６と係合し、シフトスリーブ１８６とともに回転する。また、シフトスリーブ１８６は、スプリングワッシャ１７８および爪制御ワッシャ１８８の両方と係合し、スプリングワッシャ１７８および爪制御ワッシャ１８８とともに回転する。したがって、回転可能なケーブルブラケット２００、カップリングプレート１９６、アクチュエータプレート１９２、シフトスリーブ１８６、爪制御ワッシャ１８８、およびスプリングワッシャ１７８は、すべて第１および第２ギアシフト方向Ｕ，Ｄの両方向に、一体的に単一ユニットとして回転する。
【００９１】
上述の通り、シフトスリーブ１８６の第１凸状部２７４は、爪サポート１８０の内側凹部２６４を通って延びる。内側凹部２６４が、シフトスリーブ１８６の第１凸状部２７４の円弧状長さよりも長い円弧状長さを有するので、後述する通り、爪サポート１８０は、ある状況においてのみ、シフトスリーブ１８６とともに移動する。
【００９２】
シフト機構１６が動力伝達経路の指定された変速段１にあるとき、爪制御部材１８は、図５に示す位置にある。具体的には、爪制御部材１８が回転して、ベーススリーブ１００が、固定シャフト２４の変速サポート部２８の制御アーム収容凹部６８の一方の周方向端部に位置する。また、ギア歯１１０は位置決めリング２２のギア歯２３４の第１ギア歯Ｔ１に位置する。
【００９３】
爪制御部材１８が上記位置にある状態では、第２、第３および第４太陽ギア爪８０，８２，８４は第１、第２、第３制御スリーブ１０２，１０４，１０６によって径方向内側に引っ張られ、これにより、第２、第３および第４太陽ギア７４，７６，７８はフリーホイール状態である（自由に回転する）。その結果、後述する通り、トルクは図５９に示すとともに表１，２に述べる第１動力伝達経路に沿った変速段１で伝達される。
【００９４】
位置決めリング２２のギア歯２３４の第１ギア歯Ｔ１は、爪制御部材１８を、変速段１を選択するよう高精度に位置決めする手段を提供する。位置決めリング２２がハブ軸２４に対して相対的に回転することができないので、ギア歯２３４は円周方向の定位置に固定される。したがって、爪制御部材１８のギア歯１１０が位置決めリング２２のギア歯２３４の第１ギア歯Ｔ１と整合するとき、スプリング１７４の付勢力によって、強制的に、位置決めリング２２のギア歯２３４が爪制御部材１８を変速段１の定位置に保持する。
【００９５】
インナケーブル３８２にテンションがかけられて、動力伝達アッセンブリ１４が変速段２にされると、回転可能なケーブルブラケット２００が回転され、これにより、カップリングプレート１９６、アクチュエータプレート１９２、シフトスリーブ１８６、爪制御ワッシャ１８８、およびスプリングワッシャ１７８が回転する。この条件（変速段１から変速段２への移動）では、シフトスリーブ１８６の第１凸状部２７４は爪サポート１８０の凹部２６４と当接する。したがって、爪サポート１８０はシフトスリーブ１８６とともに回転する。また、シフトキーガイド１７０の当接部２２４は爪サポート１８０の外側縁端凹部２６６と噛み合うので、シフトキーガイド１７０は変速段２に対応する配置へと回転する。図示しないが、爪制御部材１８はシフトキーガイド１７０とともに移動し、そこで、ギア歯１１０がギア歯２３４のギア歯Ｔ２と整合するよう回転する（図５参照）。
【００９６】
爪制御部材１８が、変速段２位置にある状態では、第４太陽ギア爪８４の制御部８４ａは、爪制御部材１８の第１制御スリーブ１０２の爪制御凹部１０２ａと並ぶ。したがって、第４太陽ギア爪８４は、径方向外側に自由に移動することができ、これにより、第４太陽ギア７８と当接して一方向クラッチとして機能する。その結果、後述する通り、トルクは、図６０に示すとともに表１，２に述べる第２動力伝達経路に沿った変速段２で伝達される。
【００９７】
位置決めリング２２のギア歯２３４の第２ギア歯Ｔ２は、爪制御部材１８を、変速段２を選択するよう高精度に位置決めする手段を提供する。具体的には、爪制御部材１８のギア歯１１０が、位置決めリング２２のギア歯２３４の第２ギア歯Ｔ２と整合するとき、スプリング１７４の付勢力によって、強制的に、位置決めリング２２のギア歯２３４が爪制御部材１８を変速段２の定位置に保持する。
【００９８】
インナケーブル３８２にテンションがかけられて、動力伝達アッセンブリ１４が変速段３にされると、回転可能なケーブルブラケット２００が回転され、これにより、スプリングワッシャ１７８が回転する。この条件（変速段２から変速段３への移動）では、シフトスリーブ１８６の第１凸状部２７４は爪サポート１８０の凹部２６４と当接する。したがって、爪サポート１８０はシフトスリーブ１８６とともに回転する。また、シフトキーガイド１７０の当接部２２４は、爪サポート１８０の外側縁端凹部２６６と噛み合うので、シフトキーガイド１７０は変速段３に対応する配置へと回転する。図示しないが、爪制御部材１８は、シフトキーガイド１７０とともに移動し、そこで、ギア歯１１０がギア歯２３４のギア歯Ｔ３と整合するよう回転する（図５参照）。
【００９９】
爪制御部材１８が上記位置にある状態では、第３太陽ギア爪８２の制御部８２ａは、爪制御部材１８の第２制御スリーブ１０４の爪制御凹部１０４ａと並ぶ。したがって、第３太陽ギア爪８２は、径方向外側に自由に移動することができ、これにより第３太陽ギア７６と当接して一方向クラッチとして機能する。その結果、後述する通り、トルクは、図６１に示すとともに表１，２に述べる第３動力伝達経路に沿った変速段３で伝達される。
【０１００】
位置決めリング２２のギア歯２３４の第３ギア歯Ｔ３は、爪制御部材１８を、変速段３を選択するよう高精度に位置決めする手段を提供する。位置決めリング２２が、ハブ軸２４に対して相対的に回転することができないので、ギア歯２３４は円周方向の定位置に固定される。したがって、爪制御部材１８のギア歯１１０が位置決めリング２２のギア歯２３４の第３ギア歯Ｔ３と整合するとき、スプリング１７４の付勢力によって、強制的に、位置決めリング２２のギア歯２３４が爪制御部材１８を変速段３の定位置に保持する。
【０１０１】
インナケーブル３８２にテンションがかけられて、動力伝達アッセンブリ１４が変速段４にされると、回転可能なケーブルブラケット２００が回転され、これによりスプリングワッシャ１７８が回転する。この条件（変速段３から変速段４への移動）では、シフトスリーブ１８６の第１凸状部２７４は爪サポート１８０の凹部２６４と当接する。したがって、爪サポート１８０はシフトスリーブ１８６とともに回転する。また、シフトキーガイド１７０の当接部２２４は爪サポート１８０の外側縁端凹部２６６と噛み合うので、シフトキーガイド１７０は変速段４に対応する配置へと回転する。図示しないが、爪制御部材１８はシフトキーガイド１７０とともに移動し、そこで、ギア歯１１０がギア歯２３４のギア歯Ｔ４と整合するよう回転する（図５参照）。
【０１０２】
爪制御部材１８が上記位置にある状態では、第２太陽ギア爪８０の制御部８０ａは爪制御部材１８の第３制御スリーブ１０６の爪制御凹部１０６ａと並ぶ。したがって、第２太陽ギア爪８０は、径方向外側に自由に移動することができ、これにより第２太陽ギア７４と当接して一方向クラッチとして機能する。その結果、後述する通り、トルクは、図６２に示すとともに表１，２に述べる第４動力伝達経路に沿った変速段４で伝達される。
【０１０３】
位置決めリング２２のギア歯２３４の第４ギア歯Ｔ４は、爪制御部材１８を、変速段４を選択するよう高精度に位置決めする手段を提供する。位置決めリング２２が、ハブ軸２４に対して相対的に回転することができないので、ギア歯２３４は円周方向の定位置に固定される。したがって、爪制御部材１８のギア歯１１０が位置決めリング２２のギア歯２３４の第４ギア歯Ｔ４と整合するとき、スプリング１７４の付勢力によって、強制的に、位置決めリング２２のギア歯２３４が爪制御部材１８を変速段４の定位置に保持する。
【０１０４】
インナケーブル３８２にテンションがかけられて、動力伝達アッセンブリ１４が変速段５にされると、回転可能なケーブルブラケット２００が回転され、これによりスプリングワッシャ１７８が回転する。この条件（変速段４から変速段５への移動）では、シフトスリーブ１８６の第１凸状部２７４は爪サポート１８０の凹部２６４と当接する。したがって、爪サポート１８０はシフトスリーブ１８６とともに回転する。また、シフトキーガイド１７０の当接部２２４は爪サポート１８０の外側縁端凹部２６６と噛み合うので、シフトキーガイド１７０は変速段５に対応する配置へと回転する。図示しないが、爪制御部材１８はシフトキーガイド１７０とともに移動し、そこで、ギア歯１１０がギア歯２３４のギア歯Ｔ５と整合するよう回転する（図５参照）。
【０１０５】
さらに、シフトキーガイド１７０の変速段４に対応する配置から変速段５に対応する配置への移動によって、シフトキー部材７０が軸方向に移動する。シフトキーガイド１７０が、変速１，２，３，段４に対応する配置にある状態では、図５６に示すように、シフトキー部材７０のカム従動部１４４は第１太陽ギア７２のカム部１５２の第３カム面１５８と当接する。その結果、図５４および図５９〜図６２に示すように、クラッチリング２０は非係合位置に留まる。しかしながら、シフトキーガイド１７０の変速段４に対応する配置から変速段５に対応する配置への移動の際に、カム従動部１４４は第１太陽ギア７２のカム部１５２の第２カム面１５６に沿ってスライドする。シフトキーガイド１７０が変速段５に対応する配置にあると、図５５に示すように、カム従動部１４４は第１太陽ギア７２のカム部１５２の第１カム面１５４に移動する。その結果、クラッチリング２０は、遊星ギアキャリヤ８６と係合して、遊星ギアキャリヤ８６とともに回転する。また、トルクは、駆動体２５から遊星ギアキャリヤ８６にクラッチリング２０を介して、直接的に伝達される。
【０１０６】
シフトキーガイド１７０および爪制御部材１８が上記位置にある状態では、第２、第３および第４太陽ギア爪８０，８２，８４は、第１、第２、第３制御スリーブ１０２，１０４，１０６によって径方向内側に引っ張られ、これにより第２、第３および第４太陽ギア７４，７６，７８はフリーホイール状態である（自由に回転する）。その結果、後述する通り、トルクは、図６３に示すとともに表１，２に述べる第１動力伝達経路に沿った変速段５で伝達される。
【０１０７】
インナケーブル３８２にテンションがかけられて、動力伝達アッセンブリ１４が変速段６にされると、回転可能なケーブルブラケット２００が回転され、これによりスプリングワッシャ１７８が回転する。この条件（変速段５から変速段６への移動）では、シフトスリーブ１８６の第１凸状部２７４は爪サポート１８０の凹部２６４と当接する。したがって、爪サポート１８０はシフトスリーブ１８６とともに回転する。また、シフトキーガイド１７０の当接部２２４は爪サポート１８０の外側縁端凹部２６６と噛み合うので、シフトキーガイド１７０は変速段６に対応する配置へと回転する。図示しないが、爪制御部材１８はシフトキーガイド１７０とともに移動し、ギア歯１１０がギア歯２３４のギア歯Ｔ６と整合するよう回転する（図５参照）。
【０１０８】
爪制御部材１８が変速段６位置にある状態では、第４太陽ギア爪８４の制御部８４ａは、爪制御部材１８の第１制御スリーブ１０２の爪制御凹部１０２ｂと並ぶ。したがって、第４太陽ギア爪８４は、径方向外側に自由に移動することができ、これにより第４太陽ギア７８と当接して一方向クラッチとして機能する。その結果、後述する通り、トルクは、図６４に示すとともに表１，２に述べる第６動力伝達経路に沿った変速段６で伝達される。
【０１０９】
位置決めリング２２のギア歯２３４の第６ギア歯Ｔ６は、爪制御部材１８を、変速段６を選択するよう高精度に位置決めする手段を提供する。具体的には、爪制御部材１８のギア歯１１０が位置決めリング２２のギア歯２３４の第２ギア歯Ｔ６と整合するとき、スプリング１７４の付勢力によって、強制的に、位置決めリング２２のギア歯２３４が爪制御部材１８を変速段６の定位置に保持する。
【０１１０】
インナケーブル３８２にテンションがかけられて、動力伝達アッセンブリ１４が変速段７にされると、回転可能なケーブルブラケット２００が回転され、これによりスプリングワッシャ１７８が回転する。この条件（変速段６から変速段７への移動）では、シフトスリーブ１８６の第１凸状部２７４は、爪サポート１８０の凹部２６４と当接する。したがって、爪サポート１８０はシフトスリーブ１８６とともに回転する。また、シフトキーガイド１７０の当接部２２４は爪サポート１８０の外側縁端凹部２６６と噛み合うので、シフトキーガイド１７０は変速段７に対応する配置へと回転する。図示しないが、爪制御部材１８はシフトキーガイド１７０とともに移動し、ギア歯１１０がギア歯２３４のギア歯Ｔ７と整合するよう回転する（図５参照）。
【０１１１】
爪制御部材１８が上記位置にある状態では、第３太陽ギア爪８２の制御部８２ａは、爪制御部材１８の第２制御スリーブ１０４の爪制御凹部１０４ｂと並ぶ。したがって、第３太陽ギア爪８２は、径方向外側に自由に移動することができ、これにより第３太陽ギア７６と当接して一方向クラッチとして機能する。その結果、後述する通り、トルクは、図６５に示すとともに表１，２に述べる第７動力伝達経路に沿った変速段７で伝達される。
【０１１２】
位置決めリング２２のギア歯２３４の第７ギア歯Ｔ７は、爪制御部材１８を、変速段７を選択するよう高精度に位置決めする手段を提供する。位置決めリング２２がハブ軸２４に対して相対的に回転することができないので、ギア歯２３４は円周方向の定位置に固定される。したがって、爪制御部材１８のギア歯１１０が位置決めリング２２のギア歯２３４の第７ギア歯Ｔ７と整合するとき、スプリング１７４の付勢力によって、強制的に、位置決めリング２２のギア歯２３４が爪制御部材１８を変速段７の定位置に保持する。
【０１１３】
インナケーブル３８２にテンションがかけられて、動力伝達アッセンブリ１４が変速段８にされると、回転可能なケーブルブラケット２００が回転され、これによりスプリングワッシャ１７８が回転する。この条件（変速段７から変速段８への移動）では、シフトスリーブ１８６の第１凸状部２７４は、爪サポート１８０の凹部２６４と当接する。したがって、爪サポート１８０はシフトスリーブ１８６とともに回転する。また、シフトキーガイド１７０の当接部２２４は爪サポート１８０の外側縁端凹部２６６と噛み合うので、シフトキーガイド１７０は変速段４に対応する配置へと回転する。図示しないが、爪制御部材１８はシフトキーガイド１７０とともに移動し、ギア歯１１０がギア歯２３４のギア歯Ｔ８と整合するよう回転する（図５参照）。
【０１１４】
爪制御部材１８が上記位置にある状態では、第２太陽ギア爪８０の制御部８０ａは、爪制御部材１８の第３制御スリーブ１０６の爪制御凹部１０６ｂと並ぶ。したがって、第２太陽ギア爪８０は、径方向外側に自由に移動することができ、これにより、第２太陽ギア７４と当接して一方向クラッチとして機能する。その結果、後述する通り、トルクは、図６６に示すとともに表１，２に述べる第８動力伝達経路に沿った変速段８で伝達される。
【０１１５】
位置決めリング２２のギア歯２３４の第８ギア歯Ｔ８は、爪制御部材１８を、変速段８を選択するよう高精度に位置決めする手段を提供する。位置決めリング２２が、ハブ軸２４に対して相対的に回転することができないので、ギア歯２３４は円周方向の定位置に固定される。したがって、爪制御部材１８のギア歯１１０が位置決めリング２２のギア歯２３４の第８ギア歯Ｔ８と整合するとき、スプリング１７４の付勢力によって、強制的に、位置決めリング２２のギア歯２３４が爪制御部材１８を変速段８の定位置に保持する。
【０１１６】
サイクリストが、シフトダウンするとき、インナケーブル３８２へのテンションは解放され、そして、スプリング１９８は、回転可能なケーブルブラケット２００、カップリングプレート１９６、アクチュエータプレート１９２、シフトスリーブ１８６、爪制御ワッシャ１８８、およびスプリングワッシャ１７８を付勢し、これにより、第２ギアシフト方向Ｄに移動させる。また、ある条件では、付勢スプリング１７２は、シフトキーガイド１７０および爪サポート１８０を付勢して、シフトスリーブ１８６の第２ギアシフト方向Ｄ（シフトダウン方向）の移動に追従させる。具体的には、駆動体２５からハブシェル２６へと伝達されるトルクがないとき、付勢スプリング１７２は、シフトキーガイド１７０および爪サポート１８０を付勢して、シフトスリーブ１８６の第２ギアシフト方向Ｄ（シフトダウン方向）の移動に追従させる。トルクフリー条件では、変速段１〜８間でのシフトダウンは、基本的に、シフトアップについて上述した動作の反転である。
【０１１７】
しかしながら、サイクリストが強くペダルを踏んでおり、トルクが動力伝達アッセンブリ１４を介して伝達されているとき、シフトダウンプロセスは、上述のものとは、異なるものになる。具体的には、トルクが伝達されている状態では、シフトキーガイド１７０および爪サポート１８０に作用する付勢スプリング１７２の付勢力は、シフトキーガイド１７０および爪サポート１８０を、シフトスリーブ１８６の第２ギアシフト方向Ｄの移動に追従させるには十分ではない場合がある。そのような状況では、シフトアシスト機構が動作する。具体的には、爪サポート１８０、爪１８２、およびシフトアシスト機構の駆動体２５のシフトアシストギア歯１４０は、爪サポート１８０およびシフトキーガイド１７０への付勢力を増加するよう動作し、その結果シフトダウンプロセスが完了する。
【０１１８】
図６７〜図６９を特に参照して、シフトアシスト機構は以下のように動作する。図６７に示すように、トルクが伝達されていない条件では、スプリング１７２（図６７〜図６９においては図示せず）の付勢力は、爪サポート１８０の内側凹部２６４の一方の端部とシフトスリーブ１８６の凸状部２７４と間の当接を維持するのに十分である。シフトスリーブ１８６および爪制御ワッシャ１８８が１つのユニットとして回転するので、爪制御ワッシャ１８８の凸部２８４は、爪１８２に隣接しているままであり、その結果爪１８２の径方向外側への移動が制限される。
【０１１９】
しかしながら、トルクが動力伝達アッセンブリ１４を介して十分に伝達されているとき、スプリング１７２は、爪サポート１８０の内側凹部２６４の一方の端部とシフトスリーブ１８６の凸状部２７４との間の当接を維持するには十分ではない場合がある。具体的には、シフトスリーブ１８６が第２ギアシフト方向Ｄ（シフトダウン）に回転されると、シフトスリーブ１８６の凸状部２７４は回転することになるが、図６８に示すように、爪サポート１８０は、以前に選択された動力伝達経路のままに留まる場合がある。図６８に示すように、凸状部２７４は、もはや、爪サポート１８０の内側の凹部２６４の一方の端部と当接していない。しかしながら、シフトスリーブ１８６および爪制御ワッシャ１８８は１つのユニットとして回転する。図６８に示すように、爪制御ワッシャ１８８の凸部２８４は爪１８２から周方向に離れるよう移動され、その結果、爪１８２が駆動体２５のシフトアシストギア歯１４０と係合することができる。駆動体２５が回転しているので、駆動体２５のシフトアシストギア歯１４０と爪１８２との当接によって、爪サポート１８０が第２ギアシフト方向Ｄ（シフトダウン）に回転する。したがって、爪サポート１８０は図６９に示す位置に移動される。図６９において、爪サポート１８０の内側凹部２６４は、再び、シフトスリーブ１８６の凸状部２７４と当接し、そして、爪制御ワッシャ１８８の凸部２８４は爪１８２と当接し、これにより爪１８２を径方向内側に駆動体２５から離れるよう引っ張る。
【０１２０】
その他の場合は、シフトダウンプロセスはシフトアッププロセスの反転である。
【０１２１】
次に、動力伝達経路（変速段１〜８）を、図５９〜図６６、表１，２を参照して、以下に説明する。
【０１２２】
【表１】
0004884427.tif 000002
【０１２３】
【表２】
0004884427.tif 000003
【０１２４】
次に、表２に示した変速段をより詳細に説明する。第１速度（動力伝達経路の変速段１）において、チェーンスプロケット１４２から駆動体２５へのトルクは、爪９２によって第１リングギア９４に伝達される。第１リングギア９４は、第１遊星ギア６８を固定第１太陽ギア７２回りに回転させ、その結果、キャリヤ８６が回転する。そして、キャリヤ８６は、爪９８を介してハブシェル２６を回転させる。
【０１２５】
第２速度（動力伝達経路の変速段２）において、チェーンスプロケット１４２から駆動体２５へのトルクは、爪９２によって第１リングギア９４に伝達される。第１リングギア９４は、第１遊星ギア６８を固定第１太陽ギア７２回りに回転させ、その結果、キャリヤ８６が回転する。しかしながら、ここでは、第４太陽ギア７８は第４太陽ギア爪８４によって定位置にロックされている（一方向の回転に）。したがって、第２遊星ギア９０は第４太陽ギア７８の回りに回転する。第２リングギア９６は第２遊星ギア９０によって回転される。第２リングギア９６は、ここでは、ローラクラッチ１６６を介してハブシェル２６を回転させる。
【０１２６】
第３速度（変速段３）において、チェーンスプロケット１４２から駆動体２５へのトルクは、爪９２によって第１リングギア９４に伝達される。第１リングギア９４は、第１遊星ギア６８を固定第１太陽ギア７２回りに回転させ、その結果、キャリヤ８６が回転する。第２遊星ギア９０は、ここでは、第３太陽ギア爪８２によって定位置にロックされている第３太陽ギア７６の回りを回転する。第２遊星ギア９０の回転によって、第２リングギア９６が再び回転する。第２リングギア９６は、ローラクラッチ１６６を介してハブシェル２６を回転させる。
【０１２７】
第４速度（変速段４）において、チェーンスプロケット１４２から駆動体２５へのトルクは、爪９２によって第１リングギア９４に伝達される。第１リングギア９４は、第１遊星ギア６８を固定第１太陽ギア７２回りに回転させ、その結果、キャリヤ８６が回転する。第２遊星ギア９０は、ここでは、第２太陽ギア爪６０によって定位置にロックされている第２太陽ギア７４の回りを回転する。第２遊星ギア９０の回転によって、第２リングギア９６が再び回転する。第２リングギア９６は、ローラクラッチ１６６を介してハブシェル２６を回転させる。
【０１２８】
第５速度（変速段５）において、クラッチリング２０は、ここでは、駆動体２５をキャリヤ８６に直接的に連結する。第１リングギア９４は、駆動体２５および爪９２ラチェットよりも高速で回転する。第５速度において、キャリヤ８６は、爪９８を介してハブシェル２６を回転させる。
【０１２９】
第６速度（変速段６）において、トルクは、駆動体２５からキャリヤ８６へとクラッチリング２０を介して伝達される。第４太陽ギア７８は、第４太陽ギア爪８４によって定位置にロックされている（一方向の回転に）。したがって、第２遊星ギア９０は第４太陽ギア７８の回りに回転する。第２リングギア９６は第２遊星ギア９０によって回転される。第２リングギア９６は、ここでは、ローラクラッチ１６６を介してハブシェル２６を回転させる。
【０１３０】
第７速度（変速段７）において、トルクは、駆動体２５からキャリヤ８６へとクラッチリング２０を介して伝達される。第２遊星ギア９０は、ここでは、第３太陽ギア爪８２によって定位置にロックされている第３太陽ギア７６の回りを回転する。第２遊星ギア９０の回転によって第２リングギア９６が再び回転する。第２リングギア９６は、ローラクラッチ１６６を介してハブシェル２６を回転させる。
【０１３１】
第８速度（変速段８）において、トルクは、駆動体２５からキャリヤ８６へとクラッチリング２０を介して伝達される。第２遊星ギア９０は、ここでは、第２太陽ギア爪６０によって定位置にロックされている第２太陽ギア７４の回りを回転する。第２遊星ギア９０の回転によって第２リングギア９６が再び回転する。第２リングギア９６は、ローラクラッチ１６６を介してハブシェル２６を回転させる。
【０１３２】
回転可能なケーブルブラケット２００、カップリングプレート１９６、アクチュエータプレート１９２、シフトスリーブ１８６、爪制御ワッシャ１８８、スプリングワッシャ１７８、爪サポート１８０、およびシフト機構１６のシフトキーガイド１７０は、基本的に動力伝達アッセンブリ１４のシフト作動部として機能する。
【０１３３】
また、上述の通り、回転可能なケーブルブラケット２００、カップリングプレート１９６、アクチュエータプレート１９２、シフトスリーブ１８６、爪制御ワッシャ１８８、およびスプリングワッシャ１７８は、すべて一体的に単一ユニットとして回転する。回転可能なケーブルブラケット２００、カップリングプレート１９６、アクチュエータプレート１９２、シフトスリーブ１８６、爪制御ワッシャ１８８、およびスプリングワッシャ１７８のいずれか１つあるいはすべてが、シフト作動部の第１回転可能部材として機能する。第１回転可能部材は、ハブ軸２４に対して相対的に配置されており、シフトキーガイド１７０および爪制御部材（シフト制御器）に機能的に連結されて、時計方向および反時計方向に回転する。
【０１３４】
固定ケーブルブラケット２０２は、アウタケーブル接続（ケーブル取り付け凸部３５８）を有するハブ軸２４に回転不能に固定される固定プレートとして機能する。
【０１３５】
爪サポート１８０およびシフトキーガイド１７０のいずれかあるいは両方は、動力伝達アッセンブリ１４のシフト作動部の第２回転可能部材として機能する。具体的には、爪サポート１８０およびシフトキーガイド１７０は、両方とも、ハブ軸２４回りに時計方向および反時計方向に回転可能であるとともに、第１回転可能部材に対して相対的回転が制限された状態で機能的に第１回転可能部材に接続されている。第２回転可能部材（爪サポート１８０および／またはシフトキーガイド１７０）は、ボーデンタイプケーブル３８０（シフトコントロールケーブル）によって少なくとも一方向に回転可能であり、また、スプリング（スプリング１７２）によって反対方向に回転可能である。
【０１３６】
−第２実施形態−
次に、図７０〜図７７を参照して、本発明の第２実形態例にかかる位置決めリング２２'およびシフトキーガイド１７０'を説明する。第１実施形態と第２実施形態との類似点を考慮して、第１実施形態の部材と同一の第２実施形態の部材には、第１実施形態の部材と同じ参照符号を付している。また、説明の簡略化のために、第１実施形態の部材と同一の第２実施形態の部材の説明を省略する。
【０１３７】
第２実施形態において、位置決めリング２２およびシフトキーガイド１７０を位置決めリング２２'およびシフトキーガイド１７０'と置き換えている点を除いて、ハブ１２のすべてエレメントを利用している。位置決めリング２２’とシフトキーガイド１７０’との間の相互作用が、第１実施形態の位置決めリング２２とシフトキーガイド１７０との間の相互作用と少し異なるという点を除いて、第２実施形態のすべてのエレメントは、第１実施形態のエレメントと同じように動作する。
【０１３８】
第２実施形態においては、位置決めリング２２’が８つのギア歯２３４’しか有していないという点を除いて、位置決めリング２２’は、第１実施形態のポジションリング２２と同様である。しかしながら、位置決めリング２２’は、ハブ軸２４と回転不能に係合する２つの小さい凹部２３６および１つの大きい凹部２３８を有する。
【０１３９】
シフトキーガイド１７０’は、第１実施形態のシフトキーガイド１７０と同様であるが、第１実施形態のシフトキーガイド１７０の３つのギア歯状凸部２２３を有していない。
【０１４０】
用語の概括的な説明
本発明の範囲の理解において、ここで用いられる用語「備える」およびその派生語は、記載された特徴、エレメント、コンポーネント、群、完全体、および／またはステップがあることを明記しているオープンエンドの用語を意味するのであって、記載されていない特徴、エレメント、コンポーネント、群、完全体、および／またはステップがあることを排除するものではない。上記は、用語「有する」、「含む」およびそれらの派生語など同様の意味を持つ語にも当てはまる。また、単数形的に用いられる用語「パート」、「セクション」、「部」、「部材」あるいは「エレメント」は、単一のパートあるいは複数のパーツの２つの意味を持ちうる。ここで、本発明を説明するために用いられる、次の用語、「前方、後方、上、下向き、垂直、水平、下、横」同じく他の同様な方向を示す用語が、本発明の自転車の方向を示す用語として使用されている。このように、本発明において用いられるこれらの用語は、通常のライディングポジションにおいて用いられるような、本発明が適用される自転車に対して相対的な意味で用いられる。最後に、ここでは、「実質的に」、「およそ」、「ほぼ」といった程度を示す用語は、最終結果が大きく変わらないような、妥当な変形の条件の変更量を意味するものとして用いる。
【０１４１】
本発明の説明のためにいくつかの実施例が選択されたに過ぎず、添付の特許請求の範囲に記載された本発明の範囲を逸脱することがない範囲で、種々の変更、変形ができることは、本開示から当業者には明らかであろう。さらに、前述の本発明にかかる実施例の説明は単なる例示であって、添付の特許請求の範囲およびそれらの均等物によって決められる本発明を限定するものではないことは、本開示から当業者には明らかであろう。
【図面の簡単な説明】
【０１４２】
【図１】図１は、本発明にかかるハブを備える自転車のリア部を示す、自転車の部分側面立面図である。
【図２】図２は、本発明の第１実施形態にかかる、シフト機構を有する動力伝達アッセンブリを備えるハブの種々の部分を示す、ハブの断面図である。
【図３】図３は、本発明の第１実施形態にかかる、シフト機構のない、動力伝達アッセンブリのエレメントを示す、ハブの一部の分解組立図である。
【図４】図４は、本発明の第１実施形態にかかる（数あるエレメントの中で、とりわけ）ハブ軸と、爪制御部材と、クラッチリングと、シフトキーガイドと、位置決め部材と、スプリングワッシャと、爪サポートと、シフトスリーブと、爪制御ワッシャと、保持プレートと、アクチュエータプレートと、第１スペーサと、カップリングプレートと、ケーブルブラケットと、回転可能なケーブルブラケットと、固定ケーブルブラケットと、ワッシャと、第２スペーサと、付勢スプリングと、を有するシフト機構のエレメントを示す、ハブの一部の分解組立図である。
【図５】図５は、本発明の第１実施形態にかかる、わかりやすくするよう、他のすべてのエレメントが取り外された、ハブ軸と、爪制御部材と、位置決め部材と、を示す、ハブの一部の斜視図である。
【図６】図６は、本発明の第１実施形態にかかる、ハブから取り外して示す、ハブ軸の側面立面図である。
【図７】図７は、本発明の第１実施形態にかかる、ハブから取り外して示す、爪制御部材の斜視図である。
【図８】図８は、本発明の第１実施形態にかかる、ハブから取り外して示す、爪制御部材の側面立面図である。
【図９】図９は、本発明の第１実施形態にかかる、ハブから取り外して示す、爪制御部材の端部立面図である。
【図１０】図１０は、本発明の第１実施形態にかかる、ハブから取り外して示す、クラッチリングの斜視図である。
【図１１】図１１は、本発明の第１実施形態にかかる、ハブから取り外して示す、シフトキーガイドの斜視図である。
【図１２】図１２は、本発明の第１実施形態にかかる、ハブから取り外して異なる角度から示す、シフトキーガイドの他の斜視図である。
【図１３】図１３は、本発明の第１実施形態にかかる、ハブから取り外して逆の角度から示す、シフトキーガイドのさらに他の斜視図である。
【図１４】図１４は、本発明の第１実施形態にかかる、ハブから取り外して示す、シフトキーガイドの端面平面図である。
【図１５】図１５は、本発明の第１実施形態にかかる、ハブから取り外して示す、位置決め部材の斜視図である。
【図１６】図１６は、本発明の第１実施形態にかかる、ハブから取り外して逆の角度から示す、位置決め部材の他の斜視図である。
【図１７】図１７は、本発明の第１実施形態にかかる、ハブから取り外して異なる角度から示す、位置決め部材のさらに他の斜視図である。
【図１８】図１８は、本発明の第１実施形態にかかる、ハブから取り外して示す、位置決め部材の端面平面図である。
【図１９】図１９は、本発明の第１実施形態にかかる、ハブから取り外して示す、位置決め部材の部分断面側面図である。
【図２０】図２０は、本発明の第１実施形態にかかる、ハブから取り外して示す、位置決め部材の側面図である。
【図２１】図２１は、本発明の第１実施形態にかかる、ハブから取り外して示す、スプリングワッシャの部分断面側面図である。
【図２２】図２２は、本発明の第１実施形態にかかる、ハブから取り外して示す、スプリングワッシャの端部立面図である。
【図２３】図２３は、本発明の第１実施形態にかかる、ハブから取り外して示す、爪サポートの端部立面図である。
【図２４】図２４は、本発明の第１実施形態にかかる、ハブから取り外して示す、シフトスリーブの側面立面図である。
【図２５】図２５は、本発明の第１実施形態にかかる、ハブから取り外して示す、シフトスリーブの上部平面図である。
【図２６】図２６は、本発明の第１実施形態にかかる、ハブから取り外して示す、爪制御ワッシャの端部立面図である。
【図２７】図２７は、本発明の第１実施形態にかかる、図２６の線２７−２７に沿って切り取った、爪制御ワッシャの断面側面図である。
【図２８】図２８は、本発明の第１実施形態にかかる、ハブから取り外して示す、保持プレートの端部立面図である。
【図２９】図２９は、本発明の第１実施形態にかかる、図２８の線２９−２９に沿って切り取った、保持プレートの断面側面図である。
【図３０】図３０は、本発明の第１実施形態にかかる、ハブから取り外して示す、アクチュエータプレートの端部立面図である。
【図３１】図３１は、本発明の第１実施形態にかかる、図３０の線３１−３１に沿って切り取った、アクチュエータプレートの断面側面図である。
【図３２】図３２は、本発明の第１実施形態にかかる、ハブから取り外して示す、スペーサの端部立面図である。
【図３３】図３３は、本発明の第１実施形態にかかる、ハブから取り外して示す、スペーサの側面図である。
【図３４】図３４は、本発明の第１実施形態にかかる、ハブから取り外して示す、カップリングプレートの端部立面図である。
【図３５】図３５は、本発明の第１実施形態にかかる、ハブから取り外して示す、カップリングプレートの部分断面側面図である。
【図３６】図３６は、本発明の第１実施形態にかかる、ハブから取り外して示す、回転可能なケーブルブラケットの部分断面側面図である。
【図３７】図３７は、本発明の第１実施形態にかかる、ハブから取り外して示す、回転可能なケーブルブラケットの端部立面図である。
【図３８】図３８は、本発明の第１実施形態にかかる、ハブから取り外して示す、固定ケーブルブラケットの側面立面図である。
【図３９】図３９は、本発明の第１実施形態にかかる、ハブから取り外して示す、固定ケーブルブラケットの前面図である。
【図４０】図４０は、本発明の第１実施形態にかかる、ハブから取り外して示す、ワッシャの側面立面図である。
【図４１】図４１は、本発明の第１実施形態にかかる、ハブから取り外して示す、ワッシャの部分断面端面図である。
【図４２】図４２は、本発明の第１実施形態にかかる、ハブから取り外して示す、第２スペーサの側面立面図である。
【図４３】図４３は、本発明の第１実施形態にかかる、ハブから取り外して示す、第２スペーサの部分断面側面図である。
【図４４】図４４は、本発明の第１実施形態にかかる、ハブから取り外して示す、付勢スプリングの側面立面図である。
【図４５】図４５は、本発明の第１実施形態にかかる、ハブから取り外して示す、付勢スプリングの部分断面側面図である。
【図４６】図４６は、本発明の第１実施形態にかかる、ハブから取り外して示す、ハブ軸の断面端面図である。
【図４７】図４７は、本発明の第１実施形態にかかる、爪制御部材がハブ軸に組み付けられ、爪制御部材が第１回転位置にある、ハブ軸の他の断面端面図である。
【図４８】図４８は、本発明の第１実施形態にかかる、爪制御部材がハブ軸に組み付けられ、爪制御部材が第２回転位置にある、ハブ軸のさらに他の断面端面図である。
【図４９】図４９は、本発明の第１実施形態にかかる、爪制御部材およびシフトキーガイドがハブ軸に組み付けられ、爪制御部材およびシフトキーガイドが第１回転位置にある、ハブ軸およびシフトキーガイドの断面端面図である。
【図５０】図５０は、本発明の第１実施形態にかかる、爪制御部材およびシフトキーガイドがハブ軸に組み付けられ、爪制御部材およびシフトキーガイドが第２回転位置にある、ハブ軸およびシフトキーガイドの他の断面端面図である。
【図５１】図５１は、本発明の第１実施形態にかかる、爪制御部材、シフトキーガイドおよび位置決め部材がハブ軸に組み付けられている、ハブ軸の他の断面端面図である。
【図５２】図５２は、本発明の第１実施形態にかかる、ハブ軸、爪制御部材、シフトキーガイドおよび位置決め部材の部分平面・部分断面側面図である。
【図５３】図５３は、本発明の第１実施形態にかかる、クラッチリングがハブの第１太陽ギアと係合している、ハブの一部を示す、図２の断面図の拡大した一部である。
【図５４】図５４は、本発明の第１実施形態にかかる、クラッチリングがハブの第１太陽ギアと非係合である、ハブの一部を示す、図５３と同様の断面図である。
【図５５】図５５は、本発明の第１実施形態にかかる、ハブ軸、第１太陽ギア、シフトキーガイドおよびシフトキー部材の１つのカム従動部（点線）が見えるよう多くのエレメントが取り外され、シフトキーガイドが第１位置にあり、シフトキー部材のカム従動部がクラッチリング係合位置にある、ハブの一部の部分切り取り側面立面図である。
【図５６】図５６は、本発明の第１実施形態にかかる、シフトキーガイドが第２位置にあり、シフトキー部材のカム従動部がクラッチリング非係合位置にある、ハブ軸、第１太陽ギア、シフトキーガイドおよびシフトキー部材の１つのカム従動部（点線）を示す、図５５と同様な、ハブの一部の部分切り取り側面立面図である。
【図５７】図５７は、本発明の第１実施形態にかかる、クラッチリングが第１太陽ギアの一部の上に組み付けられ、シフトキーガイドが図５５に示した第１位置にあり、クラッチリングがクラッチリング係合位置にある、図５５と同様の、ハブの一部の部分切り取り側面立面図である。
【図５８】図５８は、本発明の第１実施形態にかかる、クラッチリングが第１太陽ギアの一部の上に組み付けられ、シフトキーガイドが図５６に示した第２位置にあり、クラッチリングがクラッチリング非係合位置にある、図５６と同様の、ハブの一部の部分切り取り側面立面図である。
【図５９】図５９は、本発明の第１実施形態にかかる、第１動力伝達経路をその第１動力伝達を形成する動力伝達アッセンブリのそれらエレメントに重ねて示した、図２と同様の、ハブの一部の断面図である。
【図６０】図６０は、本発明の第１実施形態にかかる、第２動力伝達経路をその第２動力伝達を形成する動力伝達アッセンブリのそれらエレメントに重ねて示した、図２および図５９と同様の、ハブの一部の断面図である。
【図６１】図６１は、本発明の第１実施形態にかかる、第３動力伝達経路をその第３動力伝達を形成する動力伝達アッセンブリのそれらエレメントに重ねて示した、図２、図５９および図６０と同様の、ハブの一部の断面図である。
【図６２】図６２は、本発明の第１実施形態にかかる、第４動力伝達経路をその第４動力伝達を形成する動力伝達アッセンブリのそれらエレメントに重ねて示した、図２、図５９〜図６１と同様の、ハブの一部の断面図である。
【図６３】図６３は、本発明の第１実施形態にかかる、第５動力伝達経路をその第５動力伝達を形成する動力伝達アッセンブリのそれらエレメントに重ねて示した、図２、図５９〜図６２と同様の、ハブの一部の断面図である。
【図６４】図６４は、本発明の第１実施形態にかかる、第６動力伝達経路をその第６動力伝達を形成する動力伝達アッセンブリのそれらエレメントに重ねて示した、図２、図５９〜図６３と同様の、ハブの一部の断面図である。
【図６５】図６５は、本発明の第１実施形態にかかる、第７動力伝達経路をその第７動力伝達を形成する動力伝達アッセンブリのそれらエレメントに重ねて示した、図２、図５９〜図６４と同様の、ハブの一部の断面図である。
【図６６】図６６は、本発明の第１実施形態にかかる、第８動力伝達経路をその第８動力伝達を形成する動力伝達アッセンブリのそれらエレメントに重ねて示した、図２、図５９〜図６５と同様の、ハブの一部の断面図である。
【図６７】図６７は、本発明の第１実施形態にかかる、シフトアシスト機構が後退位置にある、駆動体の一部と、爪サポートと、１組の爪と、爪制御ワッシャと、を有するシフトアシスト機構を示す、ハブの一部の断面図である。
【図６８】図６８は、本発明の第１実施形態にかかる、シフトアシスト機構が係合位置にあり、その結果、駆動体アシストの回転力が一の動力伝達経路から他の動力伝達経路へのシフティングにおいてアシストしている、シフトアシスト機構を示す、図６７に示したハブの一部の他の断面図である。
【図６９】図６９は、本発明の第１実施形態にかかる、駆動体アシストの回転力が一の動力伝達経路から他の動力伝達経路へのシフティングにおいてアシストするよう用いられた後、後退位置にあるシフトアシスト機構を示す、図６７および図６８に示したハブの一部のさらに他の断面図である。
【図７０】図７０は、本発明の第２実施形態にかかる、わかりやすくするよう、他のすべてのエレメントが取り外された、ハブ軸と、爪制御部材と、位置決め部材と、を示す、図５の図と同様な、ハブの一部の斜視図である。
【図７１】図７１は、本発明の第２の実施形態にかかる、ハブから取り外された位置決め部材を示す、図１８の第１実施形態の位置決め部材の図と同様な、位置決め部材の端面平面図である。
【図７２】図７２は、本発明の第２の実施形態にかかる、ハブから取り外された位置決め部材を示す、図１９の第１実施形態の位置決め部材の図と同様な、位置決め部材の部分断面側面図である。
【図７３】図７３は、本発明の第２の実施形態にかかる、ハブから取り外された位置決め部材を示す、図２０の第１実施形態の位置決め部材の図と同様な、位置決め部材の側面平面図である。
【図７４】図７４は、本発明の第２の実施形態にかかる、８つの動力伝達経路に対応する位置決め部材の８つのギア歯を示す、図７１と同様な、部分的に切り取られた、位置決め部材の端面平面図である。
【図７５】図７５は、本発明の第２実施形態にかかる、ハブから取り外して示す、シフトキーガイドの端面平面図である。
【図７６】図７６は、本発明の第２実施形態にかかる、図７５の線７６−７６に沿って切り取った、シフトキーガイドの第１の断面図である。
【図７７】図７７は、本発明の第２実施形態にかかる、図７５の線７７−７７に沿って切り取った、シフトキーガイドの第２の断面図である。
【符号の説明】
【０１４３】
１０  自転車
１２  ハブ
１４  動力伝達アッセンブリ
１６  シフト機構
１８  爪制御部材
２０  クラッチリング
２２，２２’  位置決め部材
２４  ハブ軸
２５  駆動体
２６  ハブシェル
２７  シフト制御サポート部
３２，３４，３６  凸部
１００  ベーススリーブ
１０２  第１制御スリーブ
１０４  第２制御スリーブ
１０６  第３制御スリーブ
１１０  ギア歯
１２０  第１セットのギア歯
１２２  第２セットのギア歯
１３４  ギア歯
１７０，１７０’  シフトキーガイド
１７２  周方向付勢スプリング
１７４  軸方向付勢スプリング
１８６  シフトスリーブ
２１０  中央ディスク部
２２０  中央ボア
２２２  凹部
２２３  ギア歯状凸部
２２４  当接部
２３４  ギア歯
【図１】
0004884427.tif 000004
【図２】
0004884427.tif 000005
【図３】
0004884427.tif 000006
【図４】
0004884427.tif 000007
【図５】
0004884427.tif 000008
【図６】
0004884427.tif 000009
【図７】
0004884427.tif 000010
【図８】
0004884427.tif 000011
【図９】
0004884427.tif 000012
【図１０】
0004884427.tif 000013
【図１１】
0004884427.tif 000014
【図１２】
0004884427.tif 000015
【図１３】
0004884427.tif 000016
【図１４】
0004884427.tif 000017
【図１５】
0004884427.tif 000018
【図１６】
0004884427.tif 000019
【図１７】
0004884427.tif 000020
【図１８】
0004884427.tif 000021
【図１９】
0004884427.tif 000022
【図２０】
0004884427.tif 000023
【図２１】
0004884427.tif 000024
【図２２】
0004884427.tif 000025
【図２３】
0004884427.tif 000026
【図２４】
0004884427.tif 000027
【図２５】
0004884427.tif 000028
【図２６】
0004884427.tif 000029
【図２７】
0004884427.tif 000030
【図２８】
0004884427.tif 000031
【図２９】
0004884427.tif 000032
【図３０】
0004884427.tif 000033
【図３１】
0004884427.tif 000034
【図３２】
0004884427.tif 000035
【図３３】
0004884427.tif 000036
【図３４】
0004884427.tif 000037
【図３５】
0004884427.tif 000038
【図３６】
0004884427.tif 000039
【図３７】
0004884427.tif 000040
【図３８】
0004884427.tif 000041
【図３９】
0004884427.tif 000042
【図４０】
0004884427.tif 000043
【図４１】
0004884427.tif 000044
【図４２】
0004884427.tif 000045
【図４３】
0004884427.tif 000046
【図４４】
0004884427.tif 000047
【図４５】
0004884427.tif 000048
【図４６】
0004884427.tif 000049
【図４７】
0004884427.tif 000050
【図４８】
0004884427.tif 000051
【図４９】
0004884427.tif 000052
【図５０】
0004884427.tif 000053
【図５１】
0004884427.tif 000054
【図５２】
0004884427.tif 000055
【図５３】
0004884427.tif 000056
【図５４】
0004884427.tif 000057
【図５５】
0004884427.tif 000058
【図５６】
0004884427.tif 000059
【図５７】
0004884427.tif 000060
【図５８】
0004884427.tif 000061
【図５９】
0004884427.tif 000062
【図６０】
0004884427.tif 000063
【図６１】
0004884427.tif 000064
【図６２】
0004884427.tif 000065
【図６３】
0004884427.tif 000066
【図６４】
0004884427.tif 000067
【図６５】
0004884427.tif 000068
【図６６】
0004884427.tif 000069
【図６７】
0004884427.tif 000070
【図６８】
0004884427.tif 000071
【図６９】
0004884427.tif 000072
【図７０】
0004884427.tif 000073
【図７１】
0004884427.tif 000074
【図７２】
0004884427.tif 000075
【図７３】
0004884427.tif 000076
【図７４】
0004884427.tif 000077
【図７５】
0004884427.tif 000078
【図７６】
0004884427.tif 000079
【図７７】
0004884427.tif 000080